(57)【要約】【課題】タイヤの氷上性能あるいは雪上性能を向上できる空気入りタイヤを提供すること。【解決手段】この空気入りタイヤは、複数のブロック５をトレッド面に備える（図２参照）。また、ブロック５が、５０［μｍ］以下の算術平均粗さＲａをもつフラットな領域と、複数の凹部８とを接地面に備える。また、ブロックの全域における前記フラットな領域の面積比率が、５０［％］以上である。また、１つのブロック５の接地面をタイヤ周方向に三等分して一対の端部領域を定義するときに、ブロック５の接地面のタイヤ周方向の一方の端部領域ＥＲ１における凹部８の開口面積率Ｓｅ１と、タイヤ周方向の他方の端部領域ＥＲ２における凹部８の開口面積率Ｓｅ２とが、Ｓｅ２＜Ｓｅ１の関係を有する。【選択図】図３
2017197148.tif 000002
【特許請求の範囲】
【請求項１】
複数のブロックをトレッド面に備える空気入りタイヤであって、
前記ブロックが、５０［μｍ］以下の算術平均粗さをもつフラットな領域と、複数の凹部とを接地面に備え、且つ、
前記ブロックの全域における前記フラットな領域の面積比率が、５０［％］以上であり、
１つの前記ブロックの接地面をタイヤ周方向に三等分して一対の端部領域を定義するときに、
前記ブロックの接地面のタイヤ周方向の一方の前記端部領域における前記凹部の開口面積率Ｓｅ１と、タイヤ周方向の他方の前記端部領域における前記凹部の開口面積率Ｓｅ２とが、Ｓｅ２＜Ｓｅ１の関係を有することを特徴とする空気入りタイヤ。
【請求項２】
前記一方の端部領域における前記凹部の開口面積率Ｓｅ１と、前記他方の端部領域における前記凹部の開口面積率Ｓｅ２とが、１．５０≦Ｓｅ１／Ｓｅ２の関係を有する請求項１に記載の空気入りタイヤ。
【請求項３】
前記一方の端部領域における前記凹部の配置数Ｎｅ１と、前記他方の端部領域における前記凹部の配置数Ｎｅ２とが、Ｎｅ２＜Ｎｅ１の関係を有する請求項１または２に記載の空気入りタイヤ。
【請求項４】
前記一方の端部領域における前記凹部の配置数Ｎｅ１と、前記他方の端部領域における前記凹部の配置数Ｎｅ２とが、１．５０≦Ｎｅ１／Ｎｅ２の関係を有する請求項３に記載の空気入りタイヤ。
【請求項５】
前記他方の端部領域における前記凹部の配置密度Ｄｅ２が、０．８［個／ｃｍ＾２］≦Ｄｅ２≦４．０［個／ｃｍ＾２］の範囲にある請求項３または４に記載の空気入りタイヤ。
【請求項６】
前記一方の端部領域における前記凹部の開口面積の平均値Ａｅ１と、前記他方の端部領域における前記凹部の開口面積の平均値Ａｅ２とが、Ａｅ２＜Ａｅ１の関係を有する請求項１または２に記載の空気入りタイヤ。
【請求項７】
前記一方の端部領域における前記凹部の開口面積の平均値Ａｅ１と、前記他方の端部領域における前記凹部の開口面積の平均値Ａｅ２とが、１．５≦Ａｅ１／Ａｅ２≦４．０の関係を有する請求項６に記載の空気入りタイヤ。
【請求項８】
前記ブロックが、相互に異なる開口面積をもつ複数種類の前記凹部を備え、且つ、前記一方の端部領域に配置された７０［％］以上の前記凹部が、前記ブロックに配置された前記凹部の開口面積の平均値よりも大きな開口面積を有する請求項６または７に記載の空気入りタイヤ。
【請求項９】
リブあるいは複数のブロックを有する陸部をトレッド面に備える空気入りタイヤにおいて、
前記陸部が、５０［μｍ］以下の算術平均粗さをもつフラットな領域と、複数の凹部とを接地面に備え、且つ、
連続した接地面の全域における前記フラットな領域の面積比率が、５０［％］以上であり、
前記陸部における連続した接地面のタイヤ幅方向の端部から前記連続した接地面の接地幅の４０［％］の領域を端部領域として定義するときに、
前記連続した接地面のタイヤ幅方向の一方の端部領域における前記凹部の開口面積率Ｓｅ１’と、タイヤ幅方向の他方の端部領域における前記凹部の開口面積率Ｓｅ２’とが、Ｓｅ２’＜Ｓｅ１’の関係を有することを特徴とする空気入りタイヤ。
【請求項１０】
前記一方の端部領域における前記凹部の開口面積率Ｓｅ１’と、前記他方の端部領域における前記凹部の開口面積率Ｓｅ２’とが、１．５０≦Ｓｅ１’／Ｓｅ２’の関係を有する請求項９に記載の空気入りタイヤ。
【請求項１１】
前記一方の端部領域における前記凹部の配置数Ｎｅ１’と、前記他方の端部領域における前記凹部の配置数Ｎｅ２’とが、Ｎｅ２’＜Ｎｅ１’の関係を有する請求項９または１０に記載の空気入りタイヤ。
【請求項１２】
前記一方の端部領域における前記凹部の配置数Ｎｅ１’と、前記他方の端部領域における前記凹部の配置数Ｎｅ２’とが、１．５０≦Ｎｅ１’／Ｎｅ２’の関係を有する請求項１１に記載の空気入りタイヤ。
【請求項１３】
前記他方の端部領域における前記凹部の配置密度Ｄｅ２’が、０．８［個／ｃｍ＾２］≦Ｄｅ２’≦４．０［個／ｃｍ＾２］の範囲にある請求項１１または１２に記載の空気入りタイヤ。
【請求項１４】
前記一方の端部領域における前記凹部の開口面積の平均値Ａｅ１’と、前記他方の端部領域における前記凹部の開口面積の平均値Ａｅ２’とが、Ａｅ２’＜Ａｅ１’の関係を有する請求項９または１０に記載の空気入りタイヤ。
【請求項１５】
前記一方の端部領域における前記凹部の開口面積の平均値Ａｅ１’と、前記他方の端部領域における前記凹部の開口面積の平均値Ａｅ２’とが、１．５≦Ａｅ１’／Ａｅ２’≦４．０の関係を有する請求項１４に記載の空気入りタイヤ。
【請求項１６】
前記陸部が、相互に異なる開口面積をもつ複数種類の前記凹部を備え、且つ、前記一方の端部領域に配置された７０［％］以上の前記凹部が、前記陸部に配置された前記凹部の開口面積の平均値よりも大きな開口面積を有する請求項１４または１５に記載の空気入りタイヤ。
【発明の詳細な説明】
【技術分野】
【０００１】
この発明は、空気入りタイヤに関し、さらに詳しくは、タイヤの氷上性能あるいは雪上性能を向上できる空気入りタイヤに関する。
【背景技術】
【０００２】
一般的なスタッドレスタイヤでは、氷路面および雪路面でのタイヤ性能を向上させるために、トレッドコンパウンドに微細な突起物を配合した構成や、微細な空隙を含むトレッドゴムを用いた構成などが採用されている。これらの構成では、微細な突起物により氷路面でのエッジ作用が向上し、あるいは、微細な空隙により氷路面での吸水作用およびエッジ作用が向上する。これにより、タイヤの氷上性能および雪上性能が向上する。
【０００３】
さらに、近年のスタッドレスタイヤでは、タイヤ使用初期における氷路面および雪路面でのタイヤ性能を向上させるために、トレッド踏面に微細かつ多数の突起部を形成した構成が採用されている。かかる構成では、タイヤ接地面の表面粗さが増加して、突起部間の空隙が氷路面とトレッド面との間に介在する水膜を除去し、また、突起部により路面とトレッド面との摩擦力が増加する。これにより、タイヤ新品時における氷上性能および雪上性能が向上する。かかる構成を採用する従来の空気入りタイヤとして、特許文献１に記載される技術が知られている。
【先行技術文献】
【特許文献】
【０００４】
【特許文献１】特開２０１３−１３６３４６号公報
【発明の概要】
【発明が解決しようとする課題】
【０００５】
この発明は、タイヤの氷上性能あるいは雪上性能を向上できる空気入りタイヤを提供することを目的とする。
【課題を解決するための手段】
【０００６】
上記目的を達成するため、この発明にかかる空気入りタイヤは、複数のブロックをトレッド面に備える空気入りタイヤであって、前記ブロックが、５０［μｍ］以下の算術平均粗さをもつフラットな領域と、複数の凹部とを接地面に備え、且つ、前記ブロックの全域における前記フラットな領域の面積比率が、５０［％］以上であり、１つの前記ブロックの接地面をタイヤ周方向に三等分して一対の端部領域を定義するときに、前記ブロックの接地面のタイヤ周方向の一方の前記端部領域における前記凹部の開口面積率Ｓｅ１と、タイヤ周方向の他方の前記端部領域における前記凹部の開口面積率Ｓｅ２とが、Ｓｅ２＜Ｓｅ１の関係を有することを特徴とする。
【０００７】
また、この発明にかかる空気入りタイヤは、リブあるいは複数のブロックを有する陸部をトレッド面に備える空気入りタイヤにおいて、前記陸部が、５０［μｍ］以下の算術平均粗さをもつフラットな領域と、複数の凹部とを接地面に備え、且つ、連続した接地面の全域における前記フラットな領域の面積比率が、５０［％］以上であり、前記陸部における連続した接地面のタイヤ幅方向の端部から前記連続した接地面の接地幅の４０［％］の領域を端部領域として定義するときに、前記連続した接地面のタイヤ幅方向の一方の端部領域における前記凹部の開口面積率Ｓｅ１’と、タイヤ幅方向の他方の端部領域における前記凹部の開口面積率Ｓｅ２’とが、Ｓｅ２’＜Ｓｅ１’の関係を有することを特徴とする。
【発明の効果】
【０００８】
この発明にかかる空気入りタイヤでは、ブロックの接地面のタイヤ周方向の一方の端部領域では、凹部が高い開口面積率Ｓｅ１で配置されるので、凹部の吸水作用により、氷路における路面の水膜が効率的に吸収され、氷路面に対するブロック踏面の密着性（凝着摩擦力）が向上して、タイヤの氷上制動性能が向上する利点がある。
【０００９】
また、この発明にかかる空気入りタイヤでは、陸部の連続した接地面のタイヤ幅方向の一方の端部領域では、凹部が高い開口面積率で配置されるので、端部領域の接地圧が上昇し、雪路における雪柱剪断力が増加して、タイヤの雪上性能が向上する利点がある。
【図面の簡単な説明】
【００１０】
【図１】図１は、この発明の実施の形態にかかる空気入りタイヤを示すタイヤ子午線方向の断面図である。
【図２】図２は、図１に記載した空気入りタイヤのトレッド面を示す平面図である。
【図３】図３は、図２に記載した空気入りタイヤの陸部を示す説明図である。
【図４】図４は、ブロックの踏面を示す拡大図である。
【図５】図５は、凹部の深さ方向の断面を示す説明図である。
【図６】図６は、ブロックの表面加工を示す説明図である。
【図７】図７は、ブロックの表面加工を示す説明図である。
【図８】図８は、図２に記載した空気入りタイヤの陸部を示す説明図である。
【図９】図９は、図２に記載した空気入りタイヤの陸部を示す説明図である。
【図１０】図１０は、図２に記載した空気入りタイヤの変形例を示す説明図である。
【図１１】図１１は、図２に記載した空気入りタイヤの変形例を示す説明図である。
【図１２】図１２は、図２に記載した空気入りタイヤの変形例を示す説明図である。
【図１３】図１３は、図２に記載した空気入りタイヤの変形例を示す説明図である。
【図１４】図１４は、図２に記載した空気入りタイヤの変形例を示す説明図である。
【図１５】図１５は、図１１に記載した空気入りタイヤの変形例を示す説明図である。
【図１６】図１６は、図１に記載した空気入りタイヤのトレッド面を示す平面図である。
【図１７】図１７は、図１６に記載した空気入りタイヤの陸部を示す説明図である。
【図１８】図１８は、図４に記載したブロックの踏面の変形例を示す説明図である。
【図１９】図１９は、図４に記載したブロックの踏面の変形例を示す説明図である。
【図２０】図２０は、図１６に記載した空気入りタイヤの変形例を示す説明図である。
【図２１】図２１は、図１６に記載した空気入りタイヤの変形例を示す説明図である。
【図２２】図２２は、図１６に記載した空気入りタイヤの変形例を示す説明図である。
【図２３】図２３は、図１６に記載した空気入りタイヤの変形例を示す説明図である。
【図２４】図２４は、図１６に記載した空気入りタイヤの変形例を示す説明図である。
【図２５】図２５は、図１６に記載した空気入りタイヤの変形例を示す説明図である。
【図２６】図２６は、図１６に記載した空気入りタイヤの変形例を示す説明図である。
【図２７】図２７は、図１６に記載した空気入りタイヤの変形例を示す説明図である。
【図２８】図２８は、図１６に記載した空気入りタイヤの変形例を示す説明図である。
【図２９】図２９は、この発明の実施の形態にかかる空気入りタイヤの性能試験の結果を示す図表である。
【図３０】図３０は、この発明の実施の形態にかかる空気入りタイヤの性能試験の結果を示す図表である。
【図３１】図３１は、この発明の実施の形態にかかる空気入りタイヤの性能試験の結果を示す図表である。
【図３２】図３２は、この発明の実施の形態にかかる空気入りタイヤの性能試験の結果を示す図表である。
【図３３】図３３は、この発明の実施の形態にかかる空気入りタイヤの性能試験の結果を示す図表である。
【図３４】図３４は、この発明の実施の形態にかかる空気入りタイヤの性能試験の結果を示す図表である。
【図３５】図３５は、この発明の実施の形態にかかる空気入りタイヤの性能試験の結果を示す図表である。
【図３６】図３６は、この発明の実施の形態にかかる空気入りタイヤの性能試験の結果を示す図表である。
【発明を実施するための形態】
【００１１】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【００１２】
［空気入りタイヤ］
図１は、この発明の実施の形態にかかる空気入りタイヤを示すタイヤ子午線方向の断面図である。同図は、タイヤ径方向の片側領域の断面図を示している。また、同図は、空気入りタイヤの一例として、乗用車用ラジアルタイヤを示している。
【００１３】
同図において、タイヤ子午線方向の断面とは、タイヤ回転軸（図示省略）を含む平面でタイヤを切断したときの断面をいう。また、符号ＣＬは、タイヤ赤道面であり、タイヤ回転軸方向にかかるタイヤの中心点を通りタイヤ回転軸に垂直な平面をいう。また、タイヤ幅方向とは、タイヤ回転軸に平行な方向をいい、タイヤ径方向とは、タイヤ回転軸に垂直な方向をいう。
【００１４】
この空気入りタイヤ１は、タイヤ回転軸を中心とする環状構造を有し、一対のビードコア１１、１１と、一対のビードフィラー１２、１２と、カーカス層１３と、ベルト層１４と、トレッドゴム１５と、一対のサイドウォールゴム１６、１６と、一対のリムクッションゴム１７、１７とを備える（図１参照）。
【００１５】
一対のビードコア１１、１１は、複数のビードワイヤを束ねて成る環状部材であり、左右のビード部のコアを構成する。一対のビードフィラー１２、１２は、一対のビードコア１１、１１のタイヤ径方向外周にそれぞれ配置されてビード部を構成する。
【００１６】
カーカス層１３は、１枚のカーカスプライから成る単層構造あるいは複数のカーカスプライを積層して成る多層構造を有し、左右のビードコア１１、１１間にトロイダル状に架け渡されてタイヤの骨格を構成する。また、カーカス層１３の両端部は、ビードコア１１およびビードフィラー１２を包み込むようにタイヤ幅方向外側に巻き返されて係止される。また、カーカス層１３のカーカスプライは、スチールあるいは有機繊維材（例えば、アラミド、ナイロン、ポリエステル、レーヨンなど）から成る複数のカーカスコードをコートゴムで被覆して圧延加工して構成され、絶対値で８０［deg］以上９５［deg］以下のカーカス角度（タイヤ周方向に対するカーカスコードの繊維方向の傾斜角として定義される）を有する。
【００１７】
ベルト層１４は、一対の交差ベルト１４１、１４２と、ベルトカバー１４３とを積層して成り、カーカス層１３の外周に掛け廻されて配置される。一対の交差ベルト１４１、１４２は、スチールあるいは有機繊維材から成る複数のベルトコードをコートゴムで被覆して圧延加工して構成され、絶対値で２０［deg］以上５５［deg］以下のベルト角度を有する。また、一対の交差ベルト１４１、１４２は、相互に異符号のベルト角度（タイヤ周方向に対するベルトコードの繊維方向の傾斜角として定義される）を有し、ベルトコードの繊維方向を相互に交差させて積層される（いわゆるクロスプライ構造）。ベルトカバー１４３は、コートゴムで被覆されたスチールあるいは有機繊維材から成る複数のコードを圧延加工して構成され、絶対値で０［deg］以上１０［deg］以下のベルト角度を有する。また、ベルトカバー１４３は、交差ベルト１４１、１４２のタイヤ径方向外側に積層されて配置される。
【００１８】
トレッドゴム１５は、カーカス層１３およびベルト層１４のタイヤ径方向外周に配置されてタイヤのトレッド部を構成する。一対のサイドウォールゴム１６、１６は、カーカス層１３のタイヤ幅方向外側にそれぞれ配置されて左右のサイドウォール部を構成する。一対のリムクッションゴム１７、１７は、左右のビードコア１１、１１およびカーカス層１３の巻き返し部のタイヤ径方向内側にそれぞれ配置されて、リムフランジに対する左右のビード部の接触面を構成する。
【００１９】
［トレッドパターン］
図２は、図１に記載した空気入りタイヤのトレッド面を示す平面図である。同図は、スタッドレスタイヤのトレッドパターンを示している。同図において、タイヤ周方向とは、タイヤ回転軸周りの方向をいう。また、符号Ｔは、タイヤ接地端である。
【００２０】
図２に示すように、空気入りタイヤ１は、タイヤ周方向に延在する複数の周方向主溝２１、２２と、これらの周方向主溝２１、２２に区画された複数の陸部３１〜３３と、これらの陸部３１〜３３に配置された複数のラグ溝４１〜４３とをトレッド部に備える。
【００２１】
周方向主溝とは、摩耗末期を示すウェアインジケータを有する周方向溝であり、一般に、５．０［ｍｍ］以上の溝幅および７．５［ｍｍ］以上の溝深さを有する。また、ラグ溝とは、２．０［ｍｍ］以上の溝幅および３．０［ｍｍ］以上の溝深さを有する横溝をいう。
【００２２】
溝幅は、タイヤを規定リムに装着して規定内圧を充填した無負荷状態にて、溝開口部における左右の溝壁の距離の最大値として測定される。陸部が切欠部や面取部をエッジ部に有する構成では、溝長さ方向を法線方向とする断面視にて、トレッド踏面と溝壁の延長線との交点を基準として、溝幅が測定される。また、溝がタイヤ周方向にジグザグ状あるいは波状に延在する構成では、溝壁の振幅の中心線を基準として、溝幅が測定される。
【００２３】
溝深さは、タイヤを規定リムに装着して規定内圧を充填した無負荷状態にて、トレッド踏面から溝底までの距離の最大値として測定される。また、溝が部分的な凹凸部やサイプを溝底に有する構成では、これらを除外して溝深さが測定される。
【００２４】
規定リムとは、ＪＡＴＭＡに規定される「適用リム」、ＴＲＡに規定される「Design  Rim」、あるいはＥＴＲＴＯに規定される「Measuring  Rim」をいう。また、規定内圧とは、ＪＡＴＭＡに規定される「最高空気圧」、ＴＲＡに規定される「TIRE  LOAD  LIMITS  AT  VARIOUS  COLD  INFLATION  PRESSURES」の最大値、あるいはＥＴＲＴＯに規定される「INFLATION  PRESSURES」をいう。また、規定荷重とは、ＪＡＴＭＡに規定される「最大負荷能力」、ＴＲＡに規定される「TIRE  LOAD  LIMITS  AT  VARIOUS  COLD  INFLATION  PRESSURES」の最大値、あるいはＥＴＲＴＯに規定される「LOAD  CAPACITY」をいう。ただし、ＪＡＴＭＡにおいて、乗用車用タイヤの場合には、規定内圧が空気圧１８０［ｋＰａ］であり、規定荷重が最大負荷能力の８８［％］である。
【００２５】
例えば、図２の構成では、ストレート形状を有する４本の周方向主溝２１、２２がタイヤ赤道面ＣＬを中心として左右対称に配置されている。また、４本の周方向主溝２１、２２により、５列の陸部３１〜３３が区画されている。また、陸部３１が、タイヤ赤道面ＣＬ上に配置されている。また、各陸部３１〜３３が、タイヤ周方向に所定間隔で配置されて陸部３１〜３３をタイヤ幅方向に貫通する複数のラグ溝４１〜４３を備えている。また、セカンド陸部３２が、タイヤ周方向に屈曲しつつ延在する周方向細溝２３を備えている。そして、各陸部３１〜３３が、周方向主溝２１、２２、周方向細溝２３およびラグ溝４１〜４３に区画されてブロック列となっている。
【００２６】
なお、図２の構成では、上記のように、周方向主溝２１、２２が、ストレート形状を有している。しかし、これに限らず、周方向主溝２１、２２が、タイヤ周方向に屈曲あるいは湾曲しつつ延在するジグザグ形状あるいは波状形状を有しても良い（図示省略）。
【００２７】
また、図２の構成では、上記のように、各陸部３１〜３３が、ラグ溝４１〜４３によりタイヤ周方向に分断されてブロック列となっている。しかし、これに限らず、例えば、一部のラグ溝４１〜４３が陸部３１〜３３の内部で終端するセミクローズド構造を有することにより、一部の陸部３１〜３３がタイヤ周方向に連続するリブであっても良い（図示省略）。
【００２８】
また、図２の構成では、空気入りタイヤ１が、左右点対称なトレッドパターンを有している。しかし、これに限らず、空気入りタイヤ１が、例えば、左右線対称なトレッドパターン、左右非対称なトレッドパターン、タイヤ回転方向に方向性を有するトレッドパターンを有しても良い（図示省略）。
【００２９】
また、図２の構成では、空気入りタイヤ１が、タイヤ周方向に延在する周方向主溝２１、２２を備えている。しかし、これに限らず、空気入りタイヤ１が、周方向主溝２１、２２に代えて、タイヤ周方向に対して所定角度で傾斜しつつ延在する複数の傾斜主溝を備えても良い。例えば、空気入りタイヤ１が、タイヤ周方向に凸となるＶ字形状を有すると共にタイヤ幅方向に延在して左右のトレッド端に開口する複数のＶ字傾斜主溝と、隣り合うＶ字傾斜主溝を接続する複数のラグ溝と、これらのＶ字傾斜主溝およびラグ溝に区画された複数の陸部とを備えても良い（図示省略）。
【００３０】
［ブロックのサイプ］
図３は、図２に記載した空気入りタイヤの陸部を示す説明図である。同図は、ショルダー陸部３３を構成する１つのブロック５の平面図を示している。なお、ショルダー陸部３３は、最外周方向主溝に区画されたタイヤ幅方向外側の陸部として定義される。
【００３１】
図２および図３に示すように、この空気入りタイヤ１では、すべての陸部３１〜３３のブロック５が複数のサイプ６をそれぞれ有する。これらのサイプ６により、陸部３１〜３３のエッジ成分が増加して、タイヤの氷雪上性能が向上する。
【００３２】
サイプは、陸部に形成された切り込みであり、一般に１．０［ｍｍ］未満のサイプ幅および２．０［ｍｍ］以上のサイプ深さを有することにより、タイヤ接地時に閉塞する。なお、サイプ深さの上限は、特に限定がないが、一般に主溝の溝深さよりも浅い。
【００３３】
サイプ幅は、タイヤを規定リムに装着して規定内圧を充填した無負荷状態にて、陸部の接地面におけるサイプの開口幅の最大値として測定される。
【００３４】
なお、サイプ６は、両端部にて陸部３１〜３３の内部で終端するクローズド構造、一方の端部にてブロック５のエッジ部に開口して他方の端部にてブロック５の内部で終端するセミクローズド構造、および、両端部にてブロック５のエッジ部に開口するオープン構造のいずれを有しても良い。また、陸部３１〜３３におけるサイプ６の長さ、枚数および配置構造は、当業者自明の範囲内にて適宜選択できる。また、サイプ６は、タイヤ幅方向、タイヤ周方向、およびこれらに傾斜する方向の任意の方向に延在できる。
【００３５】
例えば、図３の構成では、ショルダー陸部３３が、最外周方向主溝２２および複数のラグ溝４３（図２参照）に区画されて成る複数のブロック５を備えている。また、１つのブロック５が複数のサイプ６を備えている。また、これらのサイプ６が、タイヤ幅方向に延在するジグザグ形状を有し、また、タイヤ周方向に所定間隔をあけて並列に配置されている。また、タイヤ周方向の最も外側にあるサイプ６が、両端部にてブロック５の内部で終端するクローズド構造を有している。これにより、タイヤ転動時におけるブロック５の踏み込み側および蹴り出し側のエッジ部の剛性が確保されている。また、タイヤ周方向の中央部にあるサイプ６が、一方の端部にて周方向主溝２２に開口し、他方の端部にてブロック５の内部で終端するセミクローズド構造を有している。これにより、ブロック５の中央部の剛性が低減されて、ブロック５のタイヤ周方向の剛性分布が均一化されている。
【００３６】
［ブロック踏面の表面粗さ］
図４は、ブロックの踏面を示す拡大図である。図５は、凹部の深さ方向の断面を示す説明図である。これらの図において、図４は、ブロック５の踏面におけるサイプ６および凹部８の位置関係を示し、図５は、凹部８の中心点を通りブロック５の踏面に垂直な断面を示している。
【００３７】
また、図６および図７は、ブロックの表面加工を示す説明図である。これらの図において、図６は、ブロック５の踏面に施された表面加工部７の平面図を模式的に示し、図７は、表面加工部７の高さ方向の断面図を模式的に示している。
【００３８】
この空気入りタイヤ１では、陸部３１〜３３の接地面の少なくとも一部の領域が、１［μｍ］以上５０［μｍ］以下の算術平均粗さＲａを有する。また、算術平均粗さＲａが、１０［μｍ］以上４０［μｍ］以下の範囲にあることが好ましい。かかる構成では、突起部間の空隙が氷路面とトレッド面との間に介在する水膜を除去し、また、突起部により路面とトレッド面との摩擦力が増加する。これにより、タイヤ新品時における氷上性能および雪上性能が向上する。
【００３９】
算術平均粗さＲａは、ＪＩＳ  Ｂ０６０１（２００１年）に準拠して測定される。また、算術平均粗さＲａは、陸部３１〜３３に形成されたサイプ６、後述する凹部８、切り欠き、細溝などを除外して測定される。
【００４０】
例えば、図２の構成では、各陸部３１〜３３のすべてのブロック５の接地面に、図６および図７に示す表面加工部７が施されている。また、表面加工部７が、微細かつ多数の半球状の突起部を接地面の全域に点在させた構造を有する。また、突起部の最大高さＨｐ（図７参照）が、１［μｍ］以上５０［μｍ］以下の範囲にあり、また、突起部の最大外径Ｄｐ（図６参照）が、１［μｍ］以上５０［μｍ］以下の範囲にある。また、隣り合う突起部の頂部の平均間隔が、５［μｍ］以上１００［μｍ］以下の範囲にあることが好ましい。
【００４１】
突起部の最大高さＨｐおよび最大外径Ｄｐは、図６および図７に示すように、突起部の外輪郭線（突起部の外表面とブロックの平面部との交点により定義される。）を測定点として、例えばマイクロスコープを用いて測定される。
【００４２】
なお、図２の構成では、上記のように、表面加工部７の突起部が、半球状を有している（図６および図７参照）。しかし、これに限らず、表面加工部７の突起部が、裁頭半球状、裁頭円錐状、裁頭角錐状などの断面台形状を有しても良いし、円柱状、角柱状などの断面矩形状を有しても良い（図示省略）。
【００４３】
また、図２の構成では、上記のように、各陸部３１〜３３のすべてのブロック５が、上記した表面加工部７を踏面の全域に有している。しかし、これに限らず、陸部３１〜３３のブロック５の一部あるいは全部が、あるいは、ブロック５の踏面の一部あるいは全部が、表面加工部７を有なさいプレーンな領域を有しても良い。プレーンな領域は、１［μｍ］未満の算術平均粗さＲａを有する領域として定義される。
【００４４】
ここで、５０［μｍ］以下の算術平均粗さＲａをもつ領域をフラットな領域として定義する。このフラットな領域は、上記表面加工部７をもつ領域および上記プレーンな領域の双方を含む概念である。
【００４５】
この空気入りタイヤ１では、陸部３１〜３３のブロック５が、上記したフラットな領域と、後述する複数の凹部８とを接地面に備える。また、連続した接地面の全域におけるフラットな領域（好ましくは、上記表面加工部７をもつ領域）の面積比率が、５０［％］以上、すなわち半分以上であることが好ましい。
【００４６】
接地面は、タイヤを規定リムに装着して規定内圧を付与すると共に静止状態にて平板に対して垂直に置いて規定荷重に対応する負荷を加えたときのタイヤと平板との接触面（具体的には、当該接触面の輪郭線に囲まれた領域）として定義される。
【００４７】
連続した接地面は、２．０［ｍｍ］以上の溝幅および３．０［ｍｍ］以上の溝深さを有する溝により区画された接地面として定義される。具体的には、上記の溝幅および溝深さを有する周方向溝およびラグ溝により区画された１つのリブあるいは１つのブロックの接地面が、上記連続した接地面に該当する。また、例えば、陸部内で終端するクローズド構造のラグ溝、陸部に形成された部分的な切り欠き（例えば、後述する図９の切欠部３１１）、タイヤ接地時に閉塞するサイプやカーフなどは、陸部の接地面を分断しないため、上記の溝に該当しない。
【００４８】
［ブロックの凹部］
図２および図３に示すように、この空気入りタイヤ１では、すべてのブロック５が、複数の凹部８を接地面に備える。かかる構成では、タイヤ接地時にて、凹部８が氷路面とトレッド面との間に生ずる水膜を吸い取ることにより、氷路面に対するブロック踏面の密着性が向上する。これにより、タイヤの氷上制動性能が向上する。
【００４９】
凹部８は、陸部３１〜３３の接地面に形成されたクローズドな窪み（接地面の境界に開口していない窪み。いわゆるディンプル）であり、陸部３１〜３３の接地面にて任意の幾何学的形状を有する。例えば、凹部８の開口部が、円形あるいは楕円形を有しても良いし、四角形、六角形などの多角形を有しても良い。円形あるいは楕円形の凹部８は、陸部３１〜３３の接地面の偏摩耗が小さい点で好ましく、多角形の凹部８は、エッジ成分が大きく氷上制動性能を向上できる点で好ましい。
【００５０】
また、凹部８の開口面積が、２．５［ｍｍ＾２］以上１０［ｍｍ＾２］以下の範囲にあることが好ましい。例えば、円形の凹部８であれば、その直径が約１．８［ｍｍ］〜３．６［ｍｍ］の範囲にある。これにより、凹部８の開口面積が適正化される。すなわち、凹部８の開口面積が２．５［ｍｍ＾２］以上であることにより、凹部８のエッジ作用および吸水性が確保される。また、凹部８の開口面積が１０［ｍｍ＾２］以下であることにより、ブロック５の接地面積が確保される。
【００５１】
凹部８の開口面積は、陸部３１〜３３の接地面における凹部８の開口面積であり、タイヤを規定リムに装着して規定内圧を付与すると共に無負荷状態として測定される。
【００５２】
また、凹部８の深さＨｄ（図５参照）が、０．１０［ｍｍ］以上２．０［ｍｍ］未満の範囲にあることが好ましく、０．２［ｍｍ］以上１．５［ｍｍ］以下の範囲にあることがより好ましい。すなわち、凹部８の深さが、タイヤ接地面に施される表面粗さレベルの加工よりも明らかに深く、また、一般的なサイプ（例えば、線状サイプ６や円形サイプ（図示省略）など）の深さよりも明らかに浅い範囲に設定される。上記数値範囲の下限により、凹部８の機能が適正に確保され、また、上記数値範囲の上限により、陸部３１〜３３の剛性が適正に確保される。
【００５３】
また、凹部８の壁角度α（図５参照）が、−８５［deg］≦α≦９５［deg］の範囲にあることが好ましい。すなわち、凹部８の内壁が陸部３１〜３３の接地面に対して略垂直であることが好ましい。これにより、凹部８のエッジ成分が増加する。
【００５４】
凹部８の壁角度αは、凹部８の深さ方向の断面視にて、陸部３１〜３３の接地面と凹部８の内壁とのなす角として測定される。
【００５５】
また、図４に示すように、凹部８は、サイプ６から離間して配置される。すなわち、凹部８とサイプ６とは、陸部３１〜３３の接地面にて相互に異なる位置に配置されて、交差しない。また、凹部８とサイプ６との距離ｇは、０．２［ｍｍ］≦ｇの範囲にあることが好ましく、０．３［ｍｍ］≦ｇの範囲にあることがより好ましい。これにより、陸部３１〜３３の剛性が適正に確保される。
【００５６】
また、凹部８は、ブロック５の踏面で疎らに配置される。具体的には、１つのブロック５の接地面の全域における凹部８の配置密度Ｄａが、０．８［個／ｃｍ＾２］≦Ｄａ≦４．０［個／ｃｍ＾２］の範囲にあることが好ましく、１．０［個／ｃｍ＾２］≦Ｄａ≦３．０［個／ｃｍ＾２］の範囲にあることがより好ましい。これにより、凹部８の配置密度Ｄａが適正化される。すなわち、０．８［個／ｃｍ＾２］≦Ｄａであることにより、凹部８の配置数が確保されて、凹部８の機能が適正に確保される。また、Ｄａ≦４．０［個／ｃｍ＾２］であることにより、ブロック５の接地面積が適正に確保される。
【００５７】
凹部８の配置密度Ｄａは、１つのリブあるいはブロックの接地面の面積に対する凹部８の総数として定義される。例えば、陸部がタイヤ周方向に連続するリブである場合（図示省略）には、１つのリブ全体の接地面積に対する凹部８の総数が、上記の配置密度Ｄａとなる。また、陸部がブロックである場合（図２および図３参照）には、１つのブロック５の接地面積に対する凹部８の総数が、上記の配置密度Ｄａとなる。
【００５８】
陸部の接地面積は、タイヤが規定リムに装着されて規定内圧を付与されると共に静止状態にて平板に対して垂直に置かれて規定荷重に対応する負荷を加えられたときのタイヤと平板との接触面にて、測定される。
【００５９】
［タイヤ周方向における凹部の開口面積率の偏在］
この空気入りタイヤ１では、図３に示すように、ブロック５の接地面のタイヤ周方向の一方の端部領域ＥＲ１における凹部８の開口面積率Ｓｅ１と、タイヤ周方向の他方の端部領域ＥＲ２における凹部８の開口面積率Ｓｅ２とが、Ｓｅ２＜Ｓｅ１の関係を有する。すなわち、ブロック５のタイヤ周方向の一方の端部領域ＥＲ１における凹部８の開口面積率Ｓｅ１が、他方の端部領域ＥＲ２よりも大きい。また、凹部８の開口面積率の比Ｓｅ１／Ｓｅ２が、１．５０≦Ｓｅ１／Ｓｅ２の関係を有することが好ましく、１．８０≦Ｓｅ１／Ｓｅ２の関係を有することがより好ましい。比Ｓｅ１／Ｓｅ２の上限は、特に限定がないが、上記した凹部８の配置密度Ｄａや開口面積との関係により制約を受ける。また、他方の端部領域ＥＲ２が凹部８を有さない場合（図示省略）には、Ｓｅ２＝０となり、Ｓｅ２＜Ｓｅ１の条件が満たされる。
【００６０】
タイヤ周方向の端部領域ＥＲ１、ＥＲ２は、ブロック５の接地面をタイヤ周方向に三等分したときの両端部の領域としてそれぞれ定義される。また、凹部８の中心が上記の端部領域ＥＲ１、ＥＲ２にあれば、凹部８が上記の端部領域ＥＲ１、ＥＲ２に配置されているといえる。なお、図３の破線は、ブロック５の前後の端部領域ＥＲ１、ＥＲ２と残りの領域との境界線を示している。
【００６１】
凹部の開口面積率は、所定領域に配置された凹部の開口面積の総和と当該領域の接地面積との比として定義される。凹部と領域の境界線とが交差する場合には、凹部の中心点が領域内にあれば当該凹部が領域内に配置されているといえる。
【００６２】
凹部の開口面積および領域の接地面積は、タイヤが規定リムに装着されて規定内圧を付与されると共に静止状態にて平板に対して垂直に置かれて規定荷重に対応する負荷を加えられたときのタイヤと平板との接触面にて、測定される。
【００６３】
また、陸部がタイヤ周方向に配列された複数のブロック５から成る場合（図２参照）には、１つのブロック列を構成する７０［％］以上、好ましくは８０［％］以上のブロック５が、上記した凹部８の開口面積率の条件Ｓｅ２＜Ｓｅ１を満たすことが好ましい。一方で、トレッド全体では、少なくとも１列の陸部がブロック列の条件を満たせば足りる。
【００６４】
タイヤ周方向の端部領域ＥＲ１、ＥＲ２における凹部８の開口面積率は、各領域における凹部８の配置密度により調整できる。すなわち、凹部８が、一方の端部領域ＥＲ１で密に配置され、他方の端部領域ＥＲ２で疎に配置されることにより、一方の端部領域ＥＲ１における凹部８の開口面積率Ｓｅ１が大きく設定される。
【００６５】
具体的には、図３において、１つのブロック５のタイヤ周方向の一方の端部領域ＥＲ１における凹部８の配置数Ｎｅ１と、他方の端部領域ＥＲ２における凹部８の配置数Ｎｅ２とが、Ｎｅ２＜Ｎｅ１の関係を有することにより、凹部８の開口面積率の条件Ｓｅ２＜Ｓｅ１が満たされる。すなわち、１つのブロック５における凹部８の配置密度がタイヤ周方向の前後の端部領域ＥＲ１、ＥＲ２で相異するように、複数の凹部８が１つのブロック５の接地面内で偏在して配置される。また、凹部８の配置数の比Ｎｅ１／Ｎｅ２が、１．５０≦Ｎｅ１／Ｎｅ２の関係を有することが好ましく、１．８０≦Ｎｅ１／Ｎｅ２の関係を有することがより好ましい。比Ｎｅ１／Ｎｅ２の上限は、特に限定がないが、上記したブロック５の接地面の全域における凹部８の配置密度Ｄａの範囲により制約を受ける。また、他方の端部領域ＥＲ２における凹部８の配置密度Ｄｅ２が、０．８［個／ｃｍ＾２］≦Ｄｅ２≦４．０［個／ｃｍ＾２］の範囲にあることが好ましく、１．０［個／ｃｍ＾２］≦Ｄｅ２≦３．０［個／ｃｍ＾２］の範囲にあることがより好ましい。また、他方の端部領域ＥＲ２が凹部８を有さない場合（図示省略）には、Ｎｅ２＝０となり、Ｓｅ２＜Ｓｅ１かつＮｅ２＜Ｎｅ１の条件が満たされる。
【００６６】
また、タイヤ周方向の一方の端部領域ＥＲ１に配置された凹部８の配置数Ｎｅ１［個］と、他方の端部領域ＥＲ２に配置された凹部８の配置数Ｎｅ２［個］とが、Ｎｅ２＋１≦Ｎｅ１の関係を有することが好ましく、Ｎｅ２＋２≦Ｎｅ１の関係を有することがより好ましい。これにより、凹部８が、一方の端部領域ＥＲ１に密に配置される。
【００６７】
凹部の配置数は、所定の領域にある凹部の中心点の数としてカウントされる。したがって、凹部の一部が領域からはみ出している場合であっても、凹部の中心点が領域内にあれば、凹部が当該領域に配置されているといえる。
【００６８】
また、陸部がタイヤ周方向に配列された複数のブロック５から成る場合（図２参照）には、１つのブロック列を構成する７０［％］以上、好ましくは８０［％］以上のブロック５が、上記した凹部８の条件Ｓｅ２＜Ｓｅ１かつＮｅ２＜Ｎｅ１を満たすことが好ましい。一方で、トレッド全体では、少なくとも１列の陸部が当該ブロック列の条件を満たせば足りる。
【００６９】
例えば、図３の構成では、ショルダー陸部３３の１つのブロック５が、接地面内に合計１７個の凹部８を有している。また、１０個の凹部８がタイヤ周方向の一方の端部領域ＥＲ１に配置され、４個の凹部８が他方の端部領域ＥＲ２に配置されている。これにより、一方の端部領域ＥＲ１における凹部８の配置数Ｎｅ１と他方の端部領域ＥＲ２における凹部８の配置数Ｎｅ２との比Ｎｅ１／Ｎｅ２が、Ｎｅ１／Ｎｅ２≒２．５となっている。また、各凹部８が、同一の開口形状および同一の開口面積を有している。また、一方の端部領域ＥＲ１における凹部８の開口面積率Ｓｅ１と、他方の端部領域ＥＲ２における凹部８の開口面積率Ｓｅ２とが、Ｓｅ２＜Ｓｅ１の関係を有している。また、ショルダー陸部３３の全体において、すべてのブロック５の凹部８が、上記Ｓｅ２＜Ｓｅ１かつＮｅ２＜Ｎｅ１の条件を満たしている（図２参照）。
【００７０】
図３において、（ａ）ブロック５の一方の端部領域ＥＲ１では、凹部８が密に配置されるので、氷路走行時にて、凹部８の吸水作用により、氷路面の水膜が効率的に吸収され、氷路面に対するブロック踏面の密着性（凝着摩擦力）が向上して、タイヤの氷上制動性能が向上する。また、雪路走行時には、端部領域ＥＲ１の接地圧が上昇し、雪路における雪柱剪断力が増加して、タイヤの雪上性能が向上する。また、（ｂ）ブロック５の他方の端部領域ＥＲ２では、凹部８が疎に配置されるので、ブロック５のエッジ部の剛性が確保され、また、ブロック５のエッジ部の接地面積が確保される。そして、ブロック５のタイヤ周方向の前後の端部領域ＥＲ１、ＥＲ２が、上記した相互に異なる接地特性を有することにより、タイヤの氷上性能および雪上性能が向上する。
【００７１】
例えば、図３におけるタイヤ周方向の第一側がタイヤ回転方向である場合には、第一側の端部領域ＥＲ１がタイヤ転動時の踏み込み側となり、第二側の端部領域ＥＲ２が蹴り出し側となる。（１）一般に、ブロック５の踏み込み側のエッジ部では、タイヤ接地時の接地圧が蹴り出し側よりも大きいため、氷路面の走行時にて接地圧により路面の氷が溶け易く、水膜が発生し易い。このとき、凹部８がブロック５の踏み込み側の端部領域ＥＲ１に密に配置されるので、氷路面の水膜が効率的に吸収される。これにより、氷路面に対するブロック踏面の密着性が向上して、氷上制動性能が向上する。また、（２）凹部８がブロック５の蹴り出し側の端部領域ＥＲ２に疎に配置されるので、ブロック５の蹴り出し側の接地面積が確保されて、氷上制動性能および氷上加速性能が向上する。加えて、（３）凹部８がブロック５の踏み込み側の端部領域ＥＲ１に密に配置されるので、タイヤ転動時にて、踏み込み側の端部領域ＥＲ１の接地圧が上昇する。これにより、雪路における雪柱剪断力が増加して、タイヤの雪上駆動性能が向上する。
【００７２】
特に、ショルダー陸部３３は、タイヤの制動性能に対する影響が大きい。そこで、図３のように、ショルダー陸部３３のブロック５が凹部８を踏み込み側の端部領域ＥＲ１に密に有することにより、凹部８による氷上制動性能の向上作用が顕著に得られる。なお、ショルダー陸部３３は、最外周方向主溝に区画されたタイヤ幅方向外側の陸部として定義される。
【００７３】
また、例えば、図３におけるタイヤ周方向の第二側がタイヤ回転方向である場合には、第一側の端部領域ＥＲ１がタイヤ転動時の蹴り出し側となり、第二側の端部領域ＥＲ２が踏み込み側となる。このとき、（１）凹部８がブロック５の蹴り出し側の端部領域ＥＲ１に密に配置されるので、ブロック５の排雪性能が向上する。これにより、ブロック５のエッジ成分が確保されて、雪上制動性能および雪上加速性能が向上する。また、（２）凹部８がブロック５の踏み込み側の端部領域ＥＲ２に疎に配置されるので、踏み込み側の端部領域ＥＲ２の接地面積が確保されて、雪上加速性能が向上する。
【００７４】
なお、タイヤ回転方向とは、タイヤ使用時にて使用頻度が高い回転方向をいい、例えば、車両前進時における回転方向をいう。タイヤ回転方向は、空気入りタイヤ１の回転方向表示部（図示省略）により表示される。この回転方向表示部の表示を基準として、ブロック５の接地先着側（いわゆる踏み込み側あるいはトゥ側）および接地後着側（いわゆる蹴り出し側あるいはヒール側）が定義される（図２参照）。踏み込み側は、指定された回転方向へのタイヤ転動時にて先に接地する側であり、蹴り出し側は、踏み込み側に対する逆側である。なお、回転方向表示部は、例えば、タイヤのサイドウォール部に付されたマークや凹凸によって構成される。
【００７５】
また、図３の構成では、ショルダー陸部３３のブロック５が、矩形状の接地面を有している。また、複数のサイプ６が、タイヤ周方向に並列に配置されてブロック５をタイヤ周方向に複数の区間に区画している。また、すべての区間が、少なくとも１つの凹部８を有している。また、ブロック５のタイヤ周方向の中央部では、ブロック５の周方向主溝２２側の端部に凹部８を有する区間と、前記端部に凹部８を有さない区間とが、タイヤ周方向に交互に配置されている。
【００７６】
また、図３の構成では、ブロック５のタイヤ周方向の両端部の区間では、凹部８が、ブロック５の周方向主溝２２側のすべての角部にそれぞれ配置されている。また、ブロック５のタイヤ周方向の一方の端部領域ＥＲ１側の端部の区間では、凹部８がブロック５の角部および中央部の双方に配置され、一方で、他方の端部領域ＥＲ２側の端部の区間では、凹部８がブロック５の角部にのみ配置されて中央部には配置されていない。これにより、ブロック５のタイヤ周方向の両端部の区間の接地特性に、差が設けられている。かかる構成では、接地圧が高く水膜が発生し易いブロック５の角部に、凹部８が配置される。これにより、氷路面の水膜が効率的に吸収されて、タイヤの氷上制動性能が向上する。また、ブロック５の角部に凹部８が配置されるので、ブロック５の角部の接地圧が上昇する。これにより、ブロック５の雪中剪断力が増加して、タイヤの雪上性能が向上する。
【００７７】
ブロック５の角部は、ブロック５の接地面の角部を含む５［ｍｍ］四方の領域として定義される。ブロック５の角部は、主溝およびラグ溝により区画された領域のみならず、ブロック５に形成された切欠部（例えば、後述する図９の切欠部３１１）により区画された領域を含む。また、凹部８の中心が上記の領域にあれば、凹部８がブロック５の角部に配置されているといえる。
【００７８】
ブロック５のタイヤ周方向の両端部の区間とは、複数のサイプ６によりタイヤ周方向に区画されたブロック５の複数の区間のうち、タイヤ周方向の両端部に位置する一対の区間をいう。また、ブロック５のタイヤ周方向の中央部の区間とは、前記タイヤ周方向の両端部の区間を除いた区間をいう。
【００７９】
ブロック５の角部（特に、鋭角な接地面をもつ角部）では、タイヤ接地時にてブロック５の中央部よりも大きな接地圧が作用する。このため、氷路面の走行時にて接地圧により路面の氷が溶け易く、水膜が発生し易い。したがって、凹部８がブロック５の角部に配置されることにより、踏面の水膜が効率的に吸収されて、タイヤの氷上制動性能が向上する。
【００８０】
また、図３の構成では、複数のサイプ６が、タイヤ周方向に並列に配置されてブロック５を複数の区間に区画している。このとき、タイヤ周方向に隣り合う任意の３つの前記区間の少なくとも１つが、タイヤ幅方向の端部領域（図中の符号省略）に凹部８を有している。また、図３に示すように、タイヤ周方向に隣り合う任意の２つの前記区間の少なくとも１つが、タイヤ幅方向の端部領域に凹部８を有することが好ましい。ブロック５のタイヤ幅方向の端部領域、特に、周方向主溝２２側の端部領域では、タイヤ接地時にてブロック５の中央部よりも大きな接地圧が作用する。このため、氷路面の走行時にて接地圧により路面の氷が溶け易く、水膜が発生し易い。したがって、凹部８がブロック５の端部領域および角部に密に配置されることにより、氷路面の水膜が効率的に吸収されて、タイヤの氷上制動性能が向上する。また、ブロック５のタイヤ幅方向の端部領域に凹部８が密に配置されることにより、端部領域の接地圧が上昇し、ブロック５の雪柱剪断力が増加して、タイヤの雪上性能が向上する。
【００８１】
タイヤ幅方向の端部領域は、ブロック５をタイヤ幅方向に三等分したときの左右の領域として定義される。また、凹部８の中心が上記の端部領域ＥＲ１、ＥＲ２にあれば、凹部８が上記の端部領域ＥＲ１、ＥＲ２に配置されているといえる。
【００８２】
また、図３の構成では、複数のサイプ６が、タイヤ周方向に並列に配置されてブロック５を複数の区間に区画している。また、タイヤ周方向に隣り合う一対の区間に配置された凹部８が、タイヤ幅方向に相互にオフセットして配置されている。これにより、凹部８がタイヤ幅方向に分散して配置されて、ブロック５の接地面が良好となる。具体的には、サイプ６に区画されたブロック５の６５［％］以上（好ましくは８０［％］以上）の区間にて、タイヤ周方向に隣り合う一対の区間に配置された凹部８がタイヤ幅方向に相互にオフセットして配置されることが好ましい。また、隣り合う区間の凹部８の中心のタイヤ幅方向の距離が凹部８の半径以上であれば、凹部８がタイヤ幅方向にオフセットして配置されているといえる。
【００８３】
また、図３の構成では、サイプ６が、ラグ溝４３に平行ないしは若干傾斜して配置され、また、タイヤ接地端Ｔからタイヤ幅方向内側の領域にのみ配置されている。また、凹部８が、タイヤ接地端Ｔからタイヤ幅方向内側の領域にのみ配置されている。
【００８４】
タイヤ接地端Ｔとは、タイヤを規定リムに装着して規定内圧を付与すると共に静止状態にて平板に対して垂直に置いて規定荷重に対応する負荷を加えたときのタイヤと平板との接触面におけるタイヤ軸方向の最大幅位置をいう。
【００８５】
図８および図９は、図２に記載した空気入りタイヤの陸部を示す説明図である。これらの図において、図６は、セカンド陸部３２を構成する１つのブロック５の平面図を示している。また、図８は、センター陸部３１を構成する１つのブロック５の平面図を示している。
【００８６】
図２の構成では、セカンド陸部３２が、１本の周方向細溝２３によりタイヤ幅方向に分断され、さらに複数のラグ溝４２によりタイヤ周方向に分断されて、複数のブロック５が区画されている。また、セカンド陸部３２のタイヤ幅方向内側の領域には、タイヤ周方向に長尺なブロック５が形成され、タイヤ幅方向外側の領域には、短尺なブロック５が形成されている。なお、セカンド陸部３２は、最外周方向主溝２２に区画されたタイヤ幅方向内側の陸部として定義される。
【００８７】
また、図８に示すように、セカンド陸部３２のタイヤ幅方向外側にある１つのブロック５が、矩形状の接地面を有している。また、複数のサイプ６が、タイヤ周方向に並列に配置されてブロック５を複数の区間に区画している。また、すべての区間が、少なくとも１つの凹部８を有している。また、ブロック５のタイヤ周方向の一方の端部領域ＥＲ１では、タイヤ周方向の端部の区間にて、凹部８がブロック５の角部および中央部の双方に配置され、一方で、他方の端部領域ＥＲ２側の端部の区間では、凹部８がブロックの角部にのみ配置されて中央部に配置されていない。これにより、ブロック５のタイヤ周方向の両端部の区間の接地特性に、差が設けられている。
【００８８】
また、１つのブロック５が、接地面内に合計１２個の凹部８を有し、また、タイヤ周方向の一方の端部領域ＥＲ１に５個の凹部８を有し、他方の端部領域ＥＲ２に４個の凹部８を有している。また、各凹部８が、同一の開口形状および同一の開口面積を有している。また、一方の端部領域ＥＲ１における凹部８の配置数Ｎｅ１と他方の端部領域ＥＲ２における凹部８の配置数Ｎｅ２とが、Ｎｅ１／Ｎｅ２≒１．３の関係を有している。また、セカンド陸部３２のすべてのブロック５の凹部８が、上記Ｓｅ２＜Ｓｅ１かつＮｅ２＜Ｎｅ１の条件を満たしている（図２参照）。
【００８９】
一般に、短尺なブロック５を有する陸部３２では、ブロック５の剛性が低いため、車両制動時におけるブロック５の倒れ込み量が大きい。特に、ブロック５が複数のサイプ６を有する構成では、その傾向が顕著となり、タイヤの氷上制動性能が低下し易い。この点において、上記のように、凹部８がサイプ６で区画されたブロック５のすべての区間に配置されることにより、氷路面の水膜が凹部８に効率的に吸収されて、氷路面に対するブロック踏面の密着性が向上する。これにより、タイヤの氷上制動性能が適正に確保される。
【００９０】
また、セカンド陸部３２は、タイヤの制駆動性能に対する影響が大きい。そこで、図８のように、セカンド陸部３２のブロック５の凹部８がタイヤ周方向の一方の端部領域ＥＲ１に密に配置され、タイヤが図８の第一側をタイヤ回転方向とし、上記一方の端部領域ＥＲ１側を踏み込み側として車両に装着されることにより、氷路面に対するブロック踏面の密着性が向上して、氷路での制動性能が向上する。逆に、タイヤが図８の第二側をタイヤ回転方向とし、上記一方の端部領域ＥＲ１側を蹴り出し側として車両に装着されることにより、ブロック５の排雪性能が向上して、タイヤの雪上性能が向上する。
【００９１】
また、図２の構成では、センター陸部３１が、複数のラグ溝４１によりタイヤ周方向に分断されて、複数のブロック５が区画されている。また、ブロック５が、セカンド陸部３２のラグ溝４２の延長線上に、切欠部３１１を有している。また、ブロック５が、矩形状の接地面を有している。なお、センター陸部は、タイヤ赤道面ＣＬ上にある陸部３１（図２参照）、あるいは、タイヤ赤道面ＣＬを挟んで隣り合う陸部（図示省略）として定義される。
【００９２】
また、図９に示すように、複数のサイプ６が、タイヤ周方向に並列に配置されてブロック５を複数の区間に区画している。また、凹部８を密に配置したタイヤ周方向の一方の端部領域ＥＲ１では、すべての区間が凹部８をそれぞれ有している。また、各凹部８が、同一の開口形状および同一の開口面積を有している。また、凹部８を疎に配置したタイヤ周方向の他方の端部領域ＥＲ２では、任意の隣り合う３つの区間が凹部８を有さない少なくとも１つの区間を含んでいる。また、凹部８が、ブロック５の４つの角部にそれぞれ配置されている。また、ブロック５のタイヤ周方向の一方の端部領域ＥＲ１側の端部の区間では、凹部８がブロック５の角部および中央部の双方に配置され、一方で、他方の端部領域ＥＲ２側の端部の区間では、凹部８がブロック５の角部にのみ配置されて中央部には配置されていない。これにより、ブロック５のタイヤ周方向の両端部の区間の接地特性に、差が設けられている。また、切欠部３１１に隣接する区間が、凹部８を有している。また、凹部８を密に配置したタイヤ周方向の一方の端部領域ＥＲ１を除く領域では、ブロック５をタイヤ幅方向に三等分したときの中央部に、凹部８が配置されていない。
【００９３】
また、ブロック５が、接地面内に合計２４個の凹部８を有し、また、タイヤ周方向の一方の端部領域ＥＲ１に１２個の凹部８を有し、他方の端部領域ＥＲ２に６個の凹部８を有している。また、一方の端部領域ＥＲ１における凹部８の配置数Ｎｅ１と他方の端部領域ＥＲ２における凹部８の配置数Ｎｅ２とが、Ｎｅ１／Ｎｅ２≒２．０の関係を有している。また、センター陸部３１のすべてのブロック５の凹部８が、上記Ｓｅ２＜Ｓｅ１かつＮｅ２＜Ｎｅ１の条件を満たしている（図２参照）。
【００９４】
一般にセンター陸部３１は、タイヤの操縦安定性能を確保するために、高い剛性を有することが好ましい。そこで、図９のように、センター陸部３１のブロック５が凹部８を有さない区間を部分的に有し、また、ブロック５のタイヤ幅方向の中央部に凹部８を有さないことにより、ブロック５の剛性が確保されて、タイヤの操縦安定性能が確保される。
【００９５】
また、センター陸部３１は、タイヤの駆動性能に対する影響が大きい。そこで、図９のように、センター陸部３１のブロック５の凹部８がタイヤ周方向の一方の端部領域ＥＲ１に密に配置され、タイヤが図８の第一側をタイヤ回転方向とし、上記一方の端部領域ＥＲ１側を踏み込み側として車両に装着されることにより、タイヤ転動時にて、踏み込み側の端部領域ＥＲ１の接地圧が上昇する。これにより、雪路における雪柱剪断力が増加して、タイヤの雪上駆動性能が向上する。
【００９６】
なお、上記の構成では、少なくとも一部の凹部８が、タイヤ成形金型（図示省略）のベント孔に対応する位置に配置されることが好ましい。すなわち、タイヤ加硫成形工程では、グリーンタイヤをタイヤ成形金型に押圧するために、タイヤ成形金型内の空気を外部に排出する必要がある。このため、タイヤ成形金型が、陸部３１〜３３の接地面を成形する金型面に、複数のベント装置（図示省略）を有している。また、ある種のベント装置は、加硫成形後の陸部３１〜３３の接地面に、小さな窪みであるベント穴を形成する。そこで、このベント穴を上記の凹部８として用いることにより、ベント穴を有効に利用し、また、陸部３１〜３３の接地面における無用な窪みを低減して陸部３１〜３３の接地面積を適正に確保できる。
【００９７】
［変形例１］
図１０は、図２に記載した空気入りタイヤの変形例を示す説明図である。同図は、トレッドパターンの平面図を示している。
【００９８】
図２の構成では、上記のように、空気入りタイヤ１が、１つのセンター陸部３１、左右一対のセカンド陸部３２、３２および左右一対のショルダー陸部３３、３３を備え、各陸部３１〜３３が複数のブロック５から成るブロック列を有している。また、すべての陸部３１〜３３のブロック５が複数の凹部８を有し、各ブロック５の凹部８がタイヤ周方向の一方の端部領域ＥＲ１で密に配置され、他方の端部領域ＥＲ２で疎に配置されている（図３、図８および図９参照）。このとき、図２では、すべての陸部３１〜３３のブロック５が、凹部８を密に配置した一方の端部領域ＥＲ１をタイヤ周方向の第一側に向けて配置されている。このため、ブロック５のタイヤ周方向の接地特性が、タイヤ赤道面ＣＬを境界として左右対称となり、トレッド全域でタイヤ周方向の一方向に揃えられている。かかる構成では、タイヤの氷上性能および雪上性能を効果的に高め得る点で好ましい。
【００９９】
これに対して、図１０の構成では、タイヤ幅方向の第一側の領域では、セカンド陸部３２およびショルダー陸部３３のブロック５が、凹部８を密に配置した一方の端部領域ＥＲ１（図３および図８参照）をタイヤ周方向の第二側に向けて配置されている。逆に、タイヤ幅方向の第二側の領域では、セカンド陸部３２およびショルダー陸部３３のブロック５が、凹部８を密に配置した一方の端部領域ＥＲ１側をタイヤ周方向の第一側に向けて配置されている。このため、ブロック５のタイヤ周方向の接地特性が、タイヤ赤道面ＣＬを境界とするタイヤ幅方向の第一側の領域と第二側の領域とで相互に点対称に構成されている。かかる構成では、空気入りタイヤ１がタイヤ周方向の第一側をタイヤ回転方向として車両に装着されたときに、タイヤ幅方向の第一側の領域では、凹部８を密に配置した端部領域ＥＲ１が蹴り出し側に位置し、タイヤ幅方向の第二側の領域では、凹部８を密に配置した端部領域ＥＲ１が踏み込み側に位置する。このため、タイヤ幅方向の第一側領域では、凹部８の疎密配置によるブロック５の接地特性が特に雪上性能に寄与し、タイヤ幅方向の第二側領域では、ブロック５の接地特性が特に氷上性能に寄与する。したがって、かかる構成では、タイヤの氷上性能および雪上性能の双方を得られる点で好ましい。
【０１００】
特に、タイヤの車両装着時にて、タイヤ赤道面ＣＬを境界として車幅方向外側に位置する領域は、氷路面の走行時における氷上旋回性能に対する寄与が大きい。したがって、空気入りタイヤ１が、タイヤ周方向の第一側をタイヤ回転方向とし、凹部８を踏み込み側の端部領域に密に有するタイヤ幅方向の第二側を車幅方向外側にして車両に装着されることが好ましい。これにより、タイヤ赤道面ＣＬを境界とするタイヤ幅方向の第二側の領域が氷上旋回性能に大きく寄与し、一方で、凹部８を蹴り出し側に密に有するタイヤ幅方向の第一側の領域が雪上性能を確保する。これにより、タイヤの氷上旋回性能および雪上性能の双方を両立できる。
【０１０１】
タイヤの車両に対する装着方向は、例えば、タイヤのサイドウォール部に付されたマークや凹凸によって構成される。例えば、ＥＣＥＲ３０（欧州経済委員会規則第３０条）が、車両装着状態にて車幅方向外側となるサイドウォール部に車両装着方向の表示部を設けることを義務付けている。
【０１０２】
［変形例２］
図２の構成では、トレッド部ショルダー領域における凹部８の配置密度Ｄｓｈが、トレッド部センター領域における凹部８の配置密度Ｄｃｅよりも高い（Ｄｃｅ＜Ｄｓｈ）。すなわち、凹部８が、トレッド部ショルダー領域で密に配置され、トレッド部センター領域で疎に配置される。また、トレッド部ショルダー領域における凹部８の配置密度Ｄｓｈが、トレッド部全域における凹部８の配置密度Ｄｔｒよりも高い（Ｄｔｒ＜Ｄｓｈ）。
【０１０３】
また、比Ｄｓｈ／Ｄｃｅが、１．１０≦Ｄｓｈ／Ｄｃｅの範囲にあることが好ましく、１．２０≦Ｄｓｈ／Ｄｃｅの範囲にあることがより好ましい。比Ｄｓｈ／Ｄｃｅの上限は、特に限定がないが、上記した凹部８の配置密度Ｄａの範囲により制約を受ける。
【０１０４】
トレッド部センター領域およびショルダー領域は、原則として、タイヤ接地幅をタイヤ幅方向に３等分する基準線を境界として定義される。ただし、タイヤ周方向に連続する周方向溝（例えば、周方向主溝、周方向細溝など）がタイヤ接地端Ｔからタイヤ接地幅の２８［％］以上３８［％］以下の領域に配置された構成（例えば、図２の構成）では、最もタイヤ幅方向外側にある前記周方向溝（例えば、図２の周方向細溝２３）を境界線として、トレッド部センター領域およびショルダー領域が定義される。
【０１０５】
タイヤ接地幅は、左右のタイヤ接地端Ｔ、Ｔの間の距離として定義される。タイヤ接地端Ｔは、タイヤを規定リムに装着して規定内圧を付与すると共に静止状態にて平板に対して垂直に置いて規定荷重に対応する負荷を加えたときのタイヤと平板との接触面におけるタイヤ軸方向の最大幅位置として定義される。
【０１０６】
凹部８の配置密度Ｄｃｅ、Ｄｓｈは、凹部８の総数と接地面積との比であり、センター領域および左右のショルダー領域のそれぞれの接地面に配置された凹部８について、それぞれ定義される。接地面積は、タイヤを規定リムに装着して規定内圧を付与すると共に静止状態にて平板に対して垂直に置いて規定荷重に対応する負荷を加えたときのタイヤと平板との接触面の面積として定義される。
【０１０７】
図２の構成では、凹部８がトレッド部ショルダー領域で密に配置されるので、凹部８が吸水作用を発揮することにより、接地圧が高く水膜が発生し易いトレッド部ショルダー領域の除水性（特に、吸水性）が向上し、また、凹部８により陸部のエッジ成分が増加する。これにより、タイヤの氷上制動性能および氷上旋回性能が向上する。また、凹部８がトレッド部センター領域で疎に配置されるので、トレッド部センター領域の接地面積が確保されて、タイヤの氷上制動性能が向上する。したがって、図２の構成は、タイヤの氷上性能が効果的に高まる点で好ましい。
【０１０８】
しかし、これに限らず、トレッド部センター領域における凹部８の配置密度Ｄｃｅと、トレッド部ショルダー領域における凹部８の配置密度Ｄｓｈとが、Ｄｓｈ＜Ｄｃｅの関係を有しても良い（図示省略。例えば、後述する図１１参照）。すなわち、凹部８が、トレッド部センター領域で密に配置され、トレッド部ショルダー領域で疎に配置される。また、トレッド部センター領域における凹部８の配置密度Ｄｃｅが、トレッド部全域における凹部８の配置密度Ｄｔｒよりも高い（Ｄｔｒ＜Ｄｃｅ）。
【０１０９】
また、比Ｄｃｅ／Ｄｓｈが、１．１０≦Ｄｃｅ／Ｄｓｈの範囲にあることが好ましく、１．２０≦Ｄｃｅ／Ｄｓｈの範囲にあることがより好ましい。比Ｄｓｈ／Ｄｃｅの上限は、特に限定がないが、上記した接地面における凹部８の配置密度Ｄａの範囲により制約を受ける。
【０１１０】
一般に、トレッド部センター領域では、トレッド部ショルダー領域よりも接地圧が小さい。上記の構成では、凹部８がトレッド部センター領域で密に配置されるので、トレッド部センター領域の接地面積が減少し、接地圧が上昇して、凹部８による雪柱剪断力が増加する。また、凹部８がトレッド部ショルダー領域で疎に配置されるので、トレッド部ショルダー領域の剛性が確保される。これらにより、タイヤのトラクション性能が向上して、タイヤの雪上性能が向上する。したがって、上記の構成は、タイヤの雪上性能が効果的に高まる点で好ましい。
【０１１１】
［変形例３］
図１１〜図１４は、図２に記載した空気入りタイヤの変形例を示す説明図である。これらの図において、図１１は、空気入りタイヤ１のトレッド面の平面図を示している。また、図１２は、ショルダー陸部３３を構成する１つのブロック５の平面図を示し、図１３は、セカンド陸部３２を構成する１つのブロック５の平面図を示し、図１４は、センター陸部３１を構成する１つのブロック５の平面図を示している。
【０１１２】
図２の構成では、上記のように、複数の凹部８が１つのブロック５の接地面内で偏在して配置されることにより、１つのブロック５のタイヤ周方向の一方の端部領域ＥＲ１における凹部８の開口面積率Ｓｅ１がタイヤ周方向の他方の端部領域ＥＲ２における凹部８の開口面積率Ｓｅ２よりも大きく（Ｓｅ２＜Ｓｅ１）設定されている。具体的には、図３、図８および図９に示すように、凹部８がブロック５のタイヤ周方向の一方の端部領域ＥＲ１に密に配置されている。また、各陸部３１〜３３の凹部８が、同一の開口形状および同一の開口面積を有している。
【０１１３】
しかし、これに限らず、図１１に示すように、複数の凹部８が１つのブロック５の接地面内で開口面積を変化させることにより、タイヤ周方向の一方の端部領域ＥＲ１における凹部８の開口面積率Ｓｅ１が他方の端部領域ＥＲ２における凹部８の開口面積率Ｓｅ２よりも大きく（Ｓｅ２＜Ｓｅ１）設定されても良い。すなわち、比較的大きな開口面積を有する凹部８が、タイヤ周方向の一方の端部領域ＥＲ１に配置される。
【０１１４】
具体的には、図１１〜図１４において、タイヤ周方向の一方の端部領域ＥＲ１における凹部８の開口面積の平均値Ａｅ１と、タイヤ周方向の他方の端部領域ＥＲ２における凹部８の開口面積の平均値Ａｅ２とが、Ａｅ２＜Ａｅ１の関係を有することにより、凹部８の開口面積率の条件Ｓｅ２＜Ｓｅ１が満たされる。また、凹部８の開口面積の平均値Ａｅ１、Ａｅ２の比Ａｅ１／Ａｅ２が、１．５≦Ａｅ１／Ａｅ２≦４．０の関係を有することが好ましく、２．０≦Ａｅ１／Ａｅ２≦３．０の関係を有することがより好ましい。また、すべての凹部８が一方の端部領域ＥＲ１に配置された場合には、Ａｅ２＝０となり、Ａｅ２＜Ａｅ１かつＳｅ２＜Ｓｅ１の条件が満たされる。
【０１１５】
開口面積の平均値Ａｅ１、Ａｅ２は、所定領域における凹部の開口面積の総和と当該領域における凹部の総数との比として算出される。
【０１１６】
また、図１１に示すように、陸部３１〜３３がタイヤ周方向に配列された複数のブロック５から成る場合には、１つのブロック列を構成する７０［％］以上、好ましくは８０［％］以上のブロック５が、上記した凹部８の開口面積の条件Ａｅ２＜Ａｅ１かつＳｅ２＜Ｓｅ１を満たすことが好ましい。一方で、トレッド全体では、少なくとも１列の陸部が当該ブロック列の条件を満たせば足りる。
【０１１７】
例えば、図１２の構成では、ショルダー陸部３３の１つのブロック５が接地面内に合計１６個の凹部８を有し、また、タイヤ周方向の一方の端部領域ＥＲ１と他方の端部領域ＥＲ２とが６個の凹部８をそれぞれ有している。また、各凹部８が、同一の開口形状を有している。また、一方の端部領域ＥＲ１には、比較的大きな開口面積の凹部８が配置され、逆に、他方の端部領域ＥＲ２には、比較的小さな開口面積の凹部８が配置されている。これにより、各領域における凹部８の開口面積の条件Ａｅ２＜Ａｅ１かつＳｅ２＜Ｓｅ１が同時に満たされている。また、ショルダー陸部３３では、すべてのブロック５の凹部８が、上記の条件Ａｅ２＜Ａｅ１かつＳｅ２＜Ｓｅ１を満たしている（図１１参照）。
【０１１８】
また、図１３の構成では、セカンド陸部３２のタイヤ幅方向外側にある１つのブロック５（図１１参照）が、接地面内に合計１６個の凹部８を有し、また、タイヤ周方向の一方の端部領域ＥＲ１と他方の端部領域ＥＲ２とが５個の凹部８をそれぞれ有している。また、各凹部８が、同一の開口形状を有している。また、一方の端部領域ＥＲ１には、比較的大きな開口面積の凹部８が配置され、逆に、他方の端部領域ＥＲ２には、比較的小さな開口面積の凹部８が配置されている。これにより、各領域における凹部８の開口面積の条件Ａｅ２＜Ａｅ１かつＳｅ２＜Ｓｅ１が同時に満たされている。また、セカンド陸部３２では、すべてのブロック５の凹部８が、上記の条件Ａｅ２＜Ａｅ１かつＳｅ２＜Ｓｅ１を満たしている（図１１参照）。
【０１１９】
また、図１４の構成では、センター陸部３１の１つのブロック５が、接地面内に合計３７個の凹部８を有し、また、タイヤ周方向の一方の端部領域ＥＲ１と他方の端部領域ＥＲ２とが１２個の凹部８をそれぞれ有している。また、一方の端部領域ＥＲ１には、比較的大きな開口面積の凹部８が配置され、逆に、他方の端部領域ＥＲ２には、比較的小さな開口面積の凹部８が配置されている。また、各領域における凹部８の開口面積の条件Ａｅ２＜Ａｅ１かつＳｅ２＜Ｓｅ１が同時に満たされている。また、センター陸部３１では、すべてのブロック５の凹部８が、上記の条件Ａｅ２＜Ａｅ１かつＳｅ２＜Ｓｅ１を満たしている（図１１参照）。
【０１２０】
上記の構成では、（ａ）ブロック５の一方の端部領域ＥＲ１では、比較的大きな凹部８が配置されるので、氷路走行時にて、凹部８の吸水作用により、氷路面の水膜が効率的に吸収され、氷路面に対するブロック踏面の密着性が向上して、タイヤの氷上制動性能が向上する。また、雪路走行時には、端部領域ＥＲ１の接地圧が上昇し、雪路における雪柱剪断力が増加して、タイヤの雪上性能が向上する。また、（ｂ）ブロック５の他方の端部領域ＥＲ２では、比較的小さな凹部８が配置されるので、ブロック５のエッジ部の剛性が確保され、また、ブロック５のエッジ部の接地面積が確保される。そして、ブロック５のタイヤ周方向の前後の端部領域ＥＲ１、ＥＲ２が、上記した相互に異なる接地特性を有することにより、タイヤの氷上性能および雪上性能が向上する。
【０１２１】
例えば、図１１におけるタイヤ周方向の第一側がタイヤ回転方向である場合には、第一側の端部領域ＥＲ１がタイヤ転動時の踏み込み側となり、第二側の端部領域ＥＲ２が蹴り出し側となる。（１）一般に、ブロック５の踏み込み側のエッジ部では、タイヤ接地時の接地圧が蹴り出し側よりも大きいため、氷路面の走行時にて接地圧により路面の氷が溶け易く、水膜が発生し易い。このとき、比較的大きな凹部８がブロック５の踏み込み側の端部領域ＥＲ１に配置されるので、氷路面の水膜が効率的に吸収される。これにより、氷路面に対するブロック踏面の密着性が向上して、氷上制動性能が向上する。また、（２）比較的小さな凹部８がブロック５の蹴り出し側の端部領域ＥＲ２に配置されるので、ブロック５の蹴り出し側の接地面積が確保されて、氷上制動性能および氷上加速性能が向上する。加えて、（３）比較的大きな凹部８がブロック５の踏み込み側の端部領域ＥＲ１に配置されるので、タイヤ転動時にて、踏み込み側の端部領域ＥＲ１の接地圧が上昇する。これにより、雪路における雪柱剪断力が増加して、タイヤの雪上駆動性能が向上する。
【０１２２】
また、例えば、図１１におけるタイヤ周方向の第二側がタイヤ回転方向である場合には、第一側の端部領域ＥＲ１がタイヤ転動時の蹴り出し側となり、第二側の端部領域ＥＲ２が踏み込み側となる。このとき、（１）比較的大きな凹部８がブロック５の蹴り出し側の端部領域ＥＲ１に配置されるので、ブロック５の排雪性能が向上する。これにより、ブロック５のエッジ成分が確保されて、雪上制動性能および雪上加速性能が向上する。また、（２）比較的小さな凹部８がブロック５の踏み込み側の端部領域ＥＲ２に配置されるので、踏み込み側の端部領域ＥＲ２の接地面積が確保されて、雪上加速性能が向上する。
【０１２３】
また、図１２〜図１４の構成では、タイヤ周方向の一方の端部領域ＥＲ１に配置された７０［％］以上、好ましくは８０［％］以上の凹部８が、ブロック５に配置された凹部８の開口面積の平均値よりも大きな開口面積を有している。すなわち、大きな凹部８の大半が一方の端部領域ＥＲ１に配置される。これにより、一方の端部領域ＥＲ１における大きな凹部８の配置数が適正化される。
【０１２４】
また、図１２〜図１４の構成では、平均値よりも大きな開口面積をもつ凹部８が、一方の端部領域ＥＲ１にてタイヤ周方向の最も外側に配置され、且つ、平均値よりも小さい開口面積をもつ凹部８が、他方の端部領域ＥＲ２にてタイヤ周方向の最も外側に配置されている。これにより、異なる開口面積をもつ凹部８を偏在させたことによる作用が向上する。
【０１２５】
例えば、図１２〜図１４の構成では、１つのブロック５が、相互に異なる開口面積をもつ２種類の凹部８を備え、一方の端部領域ＥＲ１には、大きい凹部８のみが配置され、他方の端部領域ＥＲ２には、小さい凹部８のみが配置されている。このため、各領域ＥＲ１、ＥＲ２が相互に異なる大きさの凹部８を有している。これにより、特徴的な凹部８の配列パターンが形成されている。なお、残りの中央部の領域には、大きい凹部８が配置されている。
【０１２６】
しかし、上記に限らず、一部の小さい凹部８が、一方の端部領域ＥＲ１および残りの中央部の領域に配置されても良い（図示省略）。また、大きな凹部８が、他方の端部領域ＥＲ２に配置されても良い（図示省略）。
【０１２７】
また、図１２〜図１４の構成では、ブロック５が、タイヤ周方向に並列に配置されてブロック５を複数の区間に区画する複数のサイプ６と、相互に異なる開口面積をもつ複数種類の凹部８とを備える。そして、一方の端部領域ＥＲ１では、平均値よりも大きな開口面積をもつ凹部８が、タイヤ周方向に隣り合う任意の３つの区間の少なくとも１つに配置される。すなわち、サイプ６により区画された隣り合う任意の３つの区間が、少なくとも１つの大きな凹部８を有する。これにより、大きな凹部８が一方の端部領域ＥＲ１にてタイヤ周方向に分散して配置されるので、雪路面の走行時にて、凹部８による雪柱剪断力の向上作用が効率的に得られる。例えば、図１２〜図１４の構成では、サイプ６により区画されたすべての区間が、大きな凹部８を有している。これにより、凹部８が一方の端部領域ＥＲ１の各区間に分散して配置されている。
【０１２８】
また、上記の構成では、平均値よりも大きな開口面積をもつ凹部８が、一方の端部領域ＥＲ１におけるブロック５の角部に配置され、且つ、平均値よりも小さな開口面積をもつ凹部８が、他方の端部領域ＥＲ２におけるブロック５の角部に配置されることが好ましい。これにより、一方の端部領域ＥＲ１では、大きな凹部８により、氷路面の走行時における踏面の水膜が効率的に吸収されて、タイヤの氷上制動性能が向上する。また、他方の端部領域ＥＲ２では、小さな凹部８により、ブロック５の角部の接地面積が確保されて、氷路面に対する角部の凝着作用が確保される。これにより、タイヤの氷上性能が確保される。例えば、図１２〜図１４の構成では、周方向溝２１〜２３とラグ溝４１〜４３との交差位置（図１１参照）に形成されたすべてのブロック５の角部に、大きな凹部８あるいは小さな凹部８のいずれか一方が配置されている。
【０１２９】
なお、図１２〜図１４の構成では、各ブロック５の一方の端部領域ＥＲ１における凹部８の配置数Ｎｅ１と他方の端部領域ＥＲ２における凹部８の配置数Ｎｅ２とが略同一であり、各領域ＥＲ１、ＥＲ２における凹部８の配置密度Ｄａが略同一に設定されている。また、各領域ＥＲ１、ＥＲ２における凹部８の配置数が、０．９０≦Ｎｅ１／Ｎｅ２≦１．１０の関係を有することが好ましい。これにより、凹部８が各領域ＥＲ１、ＥＲ２に均一の配置密度で配置される。
【０１３０】
しかし、これに限らず、上記の条件Ａｅ２＜Ａｅ１に加えて、各領域ＥＲ１、ＥＲ２における凹部８の配置数Ｎｅ１、Ｎｅ２が、１．２０≦Ｎｅ１／Ｎｅ２の関係を有するように、より好ましくは１．５０≦Ｎｅ１／Ｎｅ２の関係を有するように設定されても良い。すなわち、タイヤ周方向の一方の端部領域ＥＲ１にて、凹部８が、比較的大きな開口面積を有しつつ密に配置される。これにより、各領域ＥＲ１、ＥＲ２における凹部８の開口面積の比Ａｅ１／Ａｅ２を小さくしつつ、各領域ＥＲ１、ＥＲ２における凹部８の開口面積率の条件Ｓｅ２＜Ｓｅ１を効率的に調整できる。
【０１３１】
［変形例４］
図１５は、図１１に記載した空気入りタイヤの変形例を示す説明図である。同図は、空気入りタイヤ１のトレッド平面図を示している。
【０１３２】
図１１の構成では、トレッド部センター領域における凹部８の配置密度Ｄｃｅと、トレッド部ショルダー領域における凹部８の配置密度Ｄｓｈとが、Ｄｓｈ＜Ｄｃｅの関係を有する。すなわち、凹部８が、トレッド部センター領域で密に配置され、トレッド部ショルダー領域で疎に配置される。また、トレッド部センター領域における凹部８の配置密度Ｄｃｅが、トレッド部全域における凹部８の配置密度Ｄｔｒよりも高い（Ｄｔｒ＜Ｄｃｅ）。
【０１３３】
また、比Ｄｃｅ／Ｄｓｈが、１．１０≦Ｄｃｅ／Ｄｓｈの範囲にあることが好ましく、１．２０≦Ｄｃｅ／Ｄｓｈの範囲にあることがより好ましい。比Ｄｓｈ／Ｄｃｅの上限は、特に限定がないが、上記した接地面における凹部８の配置密度Ｄａの範囲により制約を受ける。
【０１３４】
一般に、トレッド部センター領域では、トレッド部ショルダー領域よりも接地圧が小さい。この点において、図１１の構成では、凹部８がトレッド部センター領域で密に配置されるので、トレッド部センター領域の接地面積が減少し、接地圧が上昇して、凹部８による雪柱剪断力が増加する。また、凹部８がトレッド部ショルダー領域で疎に配置されるので、トレッド部ショルダー領域の剛性が確保される。これらにより、タイヤのトラクション性能が向上して、タイヤの雪上性能が向上する。したがって、図１１の構成は、タイヤの雪上性能が効果的に高まる点で好ましい。
【０１３５】
しかし、これに限らず、トレッド部ショルダー領域における凹部８の配置密度Ｄｓｈと、トレッド部センター領域における凹部８の配置密度Ｄｃｅとが、Ｄｃｅ＜Ｄｓｈの関係を有しても良い（図示省略。例えば、図２参照）。すなわち、凹部８が、トレッド部ショルダー領域で密に配置され、トレッド部センター領域で疎に配置される。また、トレッド部ショルダー領域における凹部８の配置密度Ｄｓｈが、トレッド部全域における凹部８の配置密度Ｄｔｒよりも高い（Ｄｔｒ＜Ｄｓｈ）。
【０１３６】
また、比Ｄｓｈ／Ｄｃｅが、１．１０≦Ｄｓｈ／Ｄｃｅの範囲にあることが好ましく、１．２０≦Ｄｓｈ／Ｄｃｅの範囲にあることがより好ましい。比Ｄｓｈ／Ｄｃｅの上限は、特に限定がないが、上記した凹部８の配置密度Ｄａの範囲により制約を受ける。
【０１３７】
上記の構成では、凹部８がトレッド部ショルダー領域で密に配置されるので、凹部８が吸水作用を発揮することにより、接地圧が高く水膜が発生し易いトレッド部ショルダー領域の除水性（特に、吸水性）が向上し、また、凹部８により陸部のエッジ成分が増加する。これにより、タイヤの氷上制動性能および氷上旋回性能が向上する。また、凹部８がトレッド部センター領域で疎に配置されるので、トレッド部センター領域の接地面積が確保されて、タイヤの氷上制動性能が向上する。したがって、上記の構成は、タイヤの氷上性能が効果的に高まる点で好ましい。
【０１３８】
［タイヤ幅方向における凹部の開口面積率の偏在］
この空気入りタイヤ１では、リブあるいはブロック５（図１７参照）の接地面のタイヤ幅方向の一方の端部領域ＥＲ１’における凹部８の開口面積率Ｓｅ１’と、タイヤ幅方向の他方の端部領域ＥＲ２’における凹部８の開口面積率Ｓｅ２’とが、Ｓｅ２’＜Ｓｅ１’の関係を有する。すなわち、リブあるいはブロック５のタイヤ幅方向の一方の端部領域ＥＲ１’における凹部８の開口面積率Ｓｅ１’が、他方の端部領域ＥＲ２’よりも大きい。また、凹部８の開口面積率の比Ｓｅ１’／Ｓｅ２’が、１．５０≦Ｓｅ１’／Ｓｅ２’の関係を有することが好ましく、１．８０≦Ｓｅ１’／Ｓｅ２’の関係を有することがより好ましい。比Ｓｅ１’／Ｓｅ２’の上限は、特に限定がないが、上記した凹部８の配置密度Ｎａや開口面積との関係により制約を受ける。また、他方の端部領域ＥＲ２’が凹部８を有さない場合（図示省略）には、Ｓｅ２’＝０となり、Ｓｅ２’＜Ｓｅ１’の条件が満たされる。
【０１３９】
タイヤ幅方向の端部領域ＥＲ１’、ＥＲ２’は、陸部３１〜３３における連続した接地面のタイヤ幅方向の端部から当該連続した接地面の接地幅の４０［％］の領域として定義される。また、端部領域ＥＲ１’、ＥＲ２’は、陸部３１〜３３の左右の端部にてそれぞれ定義される。また、凹部８の中心が上記の端部領域ＥＲ１’、ＥＲ２’にあれば、凹部８が上記の端部領域ＥＲ１’、ＥＲ２’に配置されているといえる。なお、図１７の破線は、ブロック５の左右の端部領域ＥＲ１’、ＥＲ２’と残りの領域との境界線を示している。
【０１４０】
また、陸部がタイヤ周方向に配列された複数のブロックから成る場合（図１６参照）には、１つのブロック列を構成する７０［％］以上、好ましくは８０［％］以上のブロック５が、上記した凹部８の開口面積率の条件Ｓｅ２’＜Ｓｅ１’を満たすことが好ましい。一方で、トレッド全体では、少なくとも１列の陸部がブロック列の条件を満たせば足りる。
【０１４１】
タイヤ幅方向の端部領域ＥＲ１’、ＥＲ２’における凹部８の開口面積率は、各領域における凹部８の配置密度により調整できる。すなわち、凹部８が、一方の端部領域ＥＲ１’で密に配置され、他方の端部領域ＥＲ２’で疎に配置されることにより、一方の端部領域ＥＲ１’における凹部８の開口面積率Ｓｅ１’が大きく設定される。
【０１４２】
具体的には、図１７において、１つのブロック５のタイヤ幅方向の一方の端部領域ＥＲ１’における凹部８の配置数Ｎｅ１’と、他方の端部領域ＥＲ２’における凹部８の配置数Ｎｅ２’とが、Ｎｅ２’＜Ｎｅ１’の関係を有することにより、凹部８の開口面積率の条件Ｓｅ２’＜Ｓｅ１’が満たされる。すなわち、１つのブロックにおける凹部８の配置密度がタイヤ幅方向の左右の端部領域ＥＲ１’、ＥＲ２’で相異するように、複数の凹部８が１つのブロック５の接地面内で偏在して配置される。また、凹部８の配置数の比Ｎｅ１’／Ｎｅ２’が、１．５０≦Ｎｅ１’／Ｎｅ２’の関係を有することが好ましく、１．８０≦Ｎｅ１’／Ｎｅ２’の関係を有することがより好ましい。比Ｎｅ１’／Ｎｅ２’の上限は、特に限定がないが、上記したブロック５の接地面の全域における凹部８の配置密度Ｄａの範囲により制約を受ける。また、他方の端部領域ＥＲ２’における凹部８の配置密度Ｄｅ２’が、０．８［個／ｃｍ＾２］≦Ｄｅ２’≦４．０［個／ｃｍ＾２］の範囲にあることが好ましく、１．０［個／ｃｍ＾２］≦Ｄｅ２’≦３．０［個／ｃｍ＾２］の範囲にあることがより好ましい。また、他方の端部領域ＥＲ２’が凹部８を有さない場合（図示省略）には、Ｎｅ２’＝０となり、Ｓｅ２’＜Ｓｅ１’かつＮｅ２’＜Ｎｅ１’の条件が満たされる。
【０１４３】
また、タイヤ幅方向の一方の端部領域ＥＲ１’に配置された凹部８の個数Ｎｅ１’［個］と、他方の端部領域ＥＲ２’に配置された凹部８の個数Ｎｅ２’［個］とが、Ｎｅ２’＋１≦Ｎｅ１’の関係を有することが好ましく、Ｎｅ２’＋２≦Ｎｅ１’の関係を有することがより好ましい。これにより、凹部８が、一方の端部領域ＥＲ１’に密に配置される。
【０１４４】
また、陸部がタイヤ周方向に配列された複数のブロックから成る場合（図１６参照）には、１つのブロック列を構成する７０［％］以上、好ましくは８０［％］以上のブロック５が、上記した凹部８の条件Ｓｅ２’＜Ｓｅ１’かつＮｅ２’＜Ｎｅ１’を満たすことが好ましい。一方で、トレッド全体では、少なくとも１列の陸部が当該ブロック列の条件を満たせば足りる。
【０１４５】
例えば、図１７の構成では、ショルダー陸部３３の１つのブロック５が、接地面内に合計１７個の凹部８を有している。また、９個の凹部８がタイヤ幅方向の一方の端部領域ＥＲ１’に配置され、４個の凹部８が他方の端部領域ＥＲ２’に配置されている。これにより、一方の端部領域ＥＲ１’における凹部８の配置数Ｎｅ１’と他方の端部領域ＥＲ２’における凹部８の配置数Ｎｅ２’との比Ｎｅ１’／Ｎｅ２’が、Ｎｅ１’／Ｎｅ２’≒２．３となっている。また、各凹部８が、同一の開口形状および同一の開口面積を有している。また、一方の端部領域ＥＲ１’における凹部８の開口面積率Ｓｅ１’と、他方の端部領域ＥＲ２’における凹部８の開口面積率Ｓｅ２’とが、Ｓｅ２’＜Ｓｅ１’の関係を有している。また、ショルダー陸部３３の全体において、すべてのブロック５の凹部８が、上記Ｓｅ２’＜Ｓｅ１’かつＮｅ２’＜Ｎｅ１’の条件を満たしている（図１６参照）。
【０１４６】
図１７において、（ａ）ブロック５の一方の端部領域ＥＲ１’では、凹部８が密に配置されるので、凹部８の吸水作用により、氷路における路面の水膜が効率的に吸収され、氷路面に対するブロック踏面の密着性（凝着摩擦力）が向上して、タイヤの氷上制動性能が向上する。また、一方の端部領域ＥＲ１’の接地圧が上昇し、雪路における雪柱剪断力が増加して、タイヤの雪上性能が向上する。また、（ｂ）ブロック５の他方の端部領域ＥＲ２’では、凹部８が疎に配置されるので、ブロック５のエッジ部の剛性が確保され、また、ブロック５のエッジ部の接地面積が確保される。そして、上記のように、ブロック５のタイヤ幅方向の左右の端部領域ＥＲ１’、ＥＲ２’が相互に異なる接地特性を有することにより、タイヤの雪上性能あるいは氷上性能が向上する。
【０１４７】
例えば、図１７におけるタイヤ幅方向の第一側が車両装着状態にて車幅方向外側である場合には、第一側の端部領域ＥＲ１’が車幅方向外側となり、第二側の端部領域ＥＲ２’が車幅方向内側となる。（１）一般に、ブロック５の車幅方向外側のエッジ部では、車両旋回時の接地圧が車幅方向内側よりも大きいため、氷路面の走行時にて接地圧により路面の氷が溶け易く、水膜が発生し易い。このとき、凹部８がブロック５の車幅方向外側の端部領域ＥＲ１’に密に配置されるので、氷路面の水膜が効率的に吸収される。これにより、氷路面に対するブロック踏面の密着性が向上して、氷路での旋回性能が向上する。また、（２）凹部８がブロック５の車幅方向内側の端部領域ＥＲ２’に疎に配置されるので、ブロック５の車幅方向内側の接地面積が確保されて、氷上制動性能および氷上旋回性能が向上する。加えて、（３）凹部８がブロック５の車幅方向外側の端部領域ＥＲ１’に密に配置されるので、車両旋回時にて、車幅方向外側の端部領域ＥＲ１’の接地圧が上昇する。これにより、雪路における雪柱剪断力が増加して、タイヤの雪上旋回性能が向上する。
【０１４８】
特に、ショルダー陸部３３は、タイヤの制動性能および旋回性能に対する影響が大きい。そこで、凹部８がブロック５の車幅方向外側の端部領域ＥＲ１’に密に配置されることにより、氷路での制動性能および旋回性能が効果的に向上する。なお、ショルダー陸部３３は、最外周方向主溝に区画されたタイヤ幅方向外側の陸部として定義される。
【０１４９】
また、例えば、図１７におけるタイヤ幅方向の第二側が車両装着状態にて車幅方向外側である場合には、第一側の端部領域ＥＲ１’が車幅方向内側となり、第二側の端部領域ＥＲ２’が車幅方向外側となる。このとき、（１）凹部８がブロック５の車幅方向内側の端部領域ＥＲ１’に密に配置されるので、ブロック５の排雪性能が向上する。これにより、ブロック５のエッジ成分が確保されて、雪上旋回性能および雪上加速性能が向上する。また、（２）凹部８がブロック５の車幅方向外側の端部領域ＥＲ２’に疎に配置されるので、車幅方向外側の端部領域ＥＲ２’の接地面積が確保されて、雪上加速性能が向上する。
【０１５０】
また、図１７の構成では、ショルダー陸部３３のブロック５が、矩形状の接地面を有している。また、複数のサイプ６が、タイヤ周方向に並列に配置されてブロック５をタイヤ周方向に複数の区間に区画している。また、すべての区間が、少なくとも１つの凹部８を有している。また、ブロック５のタイヤ周方向の中央部では、ブロック５の周方向主溝２２側の端部に凹部８を有する区間と、前記端部に凹部８を有さない区間とが、タイヤ周方向に交互に配置されている。
【０１５１】
また、図１７の構成では、ブロック５のタイヤ周方向の両端部の区間では、凹部８が、ブロック５の周方向主溝２２側のすべての角部にそれぞれ配置されている。また、タイヤ周方向の前後のエッジ部を含む区間が、ブロック５の角部にのみ凹部８を有している。したがって、ブロック５のタイヤ周方向の前後のエッジ部では、サイプ６に区画された区間が、角部にのみ凹部８を有し、中央部には凹部８を有していない。
【０１５２】
ブロック５のタイヤ幅方向の端部領域、特に、周方向主溝２２側の端部領域および角部（特に、鋭角な接地面をもつ角部）では、タイヤ接地時にてブロック５の中央部よりも大きな接地圧が作用する。このため、氷路面の走行時にて接地圧により路面の氷が溶け易く、水膜が発生し易い。したがって、凹部８がブロック５の端部領域および角部に配置されることにより、踏面の水膜が効率的に吸収されて、タイヤの氷上制動性能が向上する。
【０１５３】
また、図１７の構成では、複数のサイプ６が、タイヤ周方向に並列に配置されてブロック５を複数の区間に区画している。このとき、凹部８を密に配置したタイヤ幅方向の一方の端部領域ＥＲ１’では、タイヤ周方向に隣り合う任意の３つの前記区間の少なくとも１つが、凹部８を有することが好ましい。例えば、図１７の構成では、タイヤ周方向に隣り合う任意の２つの前記区間の少なくとも１つが、タイヤ幅方向の左右の端部領域ＥＲ１’、ＥＲ２’に凹部８を有している。ブロック５のタイヤ幅方向の端部領域ＥＲ１’、ＥＲ２’、特に、車幅方向外側の端部領域では、車両旋回時にて車幅方向内側の端部領域よりも大きな接地圧が作用する。このため、氷路面の旋回走行時にて接地圧により路面の氷が溶け易く、水膜が発生し易い。したがって、凹部８が車幅方向外側の端部領域に密に配置されることにより、氷路面の水膜が効率的に吸収されて、タイヤの氷上制動性能および氷上旋回性能が向上する。また、ブロック５のタイヤ幅方向の左右の端部領域ＥＲ１’、ＥＲ２’に凹部８が密に配置されることにより、端部領域の接地圧が上昇し、ブロック５の雪柱剪断力が増加して、タイヤの雪上性能が向上する。
【０１５４】
一方で、凹部８を疎に配置したタイヤ幅方向の他方の端部領域ＥＲ２’では、タイヤ周方向に隣り合う任意の３つの前記区間が、凹部８を有する区間と凹部８を有さない区間とをそれぞれ有している。これにより、ブロック５の左右の端部領域ＥＲ１’、ＥＲ２’における凹部８の配置密度差が効率的に形成されて、左右の端部領域ＥＲ１’、ＥＲ２’の接地特性が効果的に高められている。
【０１５５】
また、図１７の構成では、複数のサイプ６が、タイヤ周方向に並列に配置されてブロック５を複数の区間に区画している。また、タイヤ周方向に隣り合う一対の区間に配置された凹部８が、タイヤ幅方向に相互にオフセットして配置されている。これにより、凹部８がタイヤ幅方向に分散して配置されて、ブロック５の接地面が良好となる。具体的には、サイプ６に区画されたブロック５の６５［％］以上（好ましくは、８０［％］以上）の区間にて、タイヤ周方向に隣り合う一対の区間に配置された凹部８がタイヤ幅方向に相互にオフセットして配置されることが好ましい。また、隣り合う区間の凹部８の中心のタイヤ幅方向の距離が凹部８の半径以上であれば、凹部８がタイヤ幅方向にオフセットして配置されているといえる。
【０１５６】
また、図１７の構成では、サイプ６が、ラグ溝４３に平行ないしは若干傾斜して配置され、また、タイヤ接地端Ｔからタイヤ幅方向内側の領域にのみ配置されている。また、凹部８が、タイヤ接地端Ｔからタイヤ幅方向内側の領域にのみ配置されている。
【０１５７】
図１８および図１９は、図１６に記載した空気入りタイヤの陸部を示す説明図である。これらの図において、図１８は、セカンド陸部３２を構成する１つのブロック５の平面図を示している。また、図１９は、センター陸部３１を構成する１つのブロック５の平面図を示している。
【０１５８】
図１６の構成では、セカンド陸部３２が、１本の周方向細溝２３によりタイヤ幅方向に分断され、さらに複数のラグ溝４２によりタイヤ周方向に分断されて、複数のブロック５が区画されている。また、セカンド陸部３２のタイヤ幅方向内側の領域には、タイヤ周方向に長尺なブロック５が形成され、タイヤ幅方向外側の領域には、短尺なブロック５が形成されている。なお、セカンド陸部３２は、最外周方向主溝２２に区画されたタイヤ幅方向内側の陸部として定義される。
【０１５９】
また、図１８に示すように、セカンド陸部３２のタイヤ幅方向外側にある１つのブロック５が、矩形状の接地面を有している。また、複数のサイプ６が、タイヤ周方向に並列に配置されてブロック５を複数の区間に区画している。また、すべての区間が、少なくとも１つの凹部８を有している。また、凹部８を密に配置したタイヤ幅方向の一方の端部領域ＥＲ１’では、すべての区間が凹部８を有している。また、凹部８を疎に配置したタイヤ幅方向の他方の端部領域ＥＲ２’では、タイヤ周方向に隣り合う任意の一対の区間が、凹部８を有さない区間を備えている。
【０１６０】
また、ブロック５が、接地面内に合計１０個の凹部８を有し、また、タイヤ幅方向の一方の端部領域ＥＲ１’に６個の凹部８を有し、他方の端部領域ＥＲ２’に４個の凹部８を有している。これにより、一方の端部領域ＥＲ１’における凹部８の配置数Ｎｅ１’と他方の端部領域ＥＲ２’における凹部８の配置数Ｎｅ２’との比Ｎｅ１’／Ｎｅ２’が、Ｎｅ１’／Ｎｅ２’≒１．５となっている。また、凹部８が一定の開口面積Ｓを有し、一方の端部領域ＥＲ１’における凹部８の開口面積Ｓの総和Ｓａ１’と、他方の端部領域ＥＲ２’における凹部８の開口面積Ｓの総和Ｓａ２’とが、Ｓａ２’＜Ｓａ１’の関係を有している。また、ブロック５のタイヤ周方向の端部の区間では、凹部８がブロック５の角部にのみ配置されて中央部に配置されていない。
【０１６１】
一般に、短尺なブロック５を有する陸部３２では、ブロック５の剛性が低いため、車両制動時におけるブロック５の倒れ込み量が大きい。特に、ブロック５が複数のサイプ６を有する構成では、その傾向が顕著となり、タイヤの氷上制動性能が低下し易い。この点において、上記のように、凹部８がサイプ６で区画されたブロック５のすべての区間に配置されることにより、氷路面の水膜が凹部８に効率的に吸収されて、氷路面に対するブロック踏面の密着性が向上する。これにより、タイヤの氷上制動性能が適正に確保される。
【０１６２】
また、セカンド陸部３２は、タイヤの制駆動性能に対する影響が大きい。そこで、図１８のように、セカンド陸部３２のブロック５の凹部８がタイヤ幅方向の一方の端部領域ＥＲ１’に密に配置され、他方の端部領域ＥＲ２’に疎に配置されることにより、セカンド陸部３２の接地特性による効果が顕著に得られる。
【０１６３】
また、図１６の構成では、センター陸部３１が、複数のラグ溝４１によりタイヤ周方向に分断されて、複数のブロック５が区画されている。また、ブロック５が、セカンド陸部３２のラグ溝４２の延長線上に、切欠部３１１を有している。また、ブロック５が、矩形状の接地面を有している。なお、センター陸部は、タイヤ赤道面ＣＬ上にある陸部３１（図１６参照）、あるいは、タイヤ赤道面ＣＬを挟んで隣り合う陸部（図示省略）として定義される。
【０１６４】
また、図１９に示すように、複数のサイプ６が、タイヤ周方向に並列に配置されてブロック５を複数の区間に区画している。また、凹部８を密に配置したタイヤ幅方向の一方の端部領域ＥＲ１’では、すべての区間が凹部８をそれぞれ有している。また、凹部８を疎に配置したタイヤ幅方向の他方の端部領域ＥＲ２’では、任意の隣り合う３つの区間が凹部８を有さない少なくとも１つの区間を含んでいる。また、凹部８が、ブロック５の４つの角部にそれぞれ配置されている。また、ブロック５のタイヤ周方向の端部の区間では、凹部８がブロック５の角部にのみ配置されて中央部に配置されていない。また、切欠部３１１に隣接する区間が、凹部８を有している。
【０１６５】
また、ブロック５が、接地面内に合計２４個の凹部８を有し、また、タイヤ周方向の一方の端部領域ＥＲ１’に１５個の凹部８を有し、他方の端部領域ＥＲ２’に９個の凹部８を有している。これにより、一方の端部領域ＥＲ１’における凹部８の配置数Ｎｅ１’と他方の端部領域ＥＲ２’における凹部８の配置数Ｎｅ２’が、Ｎｅ１’／Ｎｅ２’≒１．７の関係を有している。また、センター陸部３１のすべてのブロック５の凹部８が、上記Ｓｅ２’＜Ｓｅ１’かつＮｅ２’＜Ｎｅ１’の条件を満たしている（図１６参照）。
【０１６６】
一般に、センター陸部３１は、タイヤの操縦安定性能を確保するために、高い剛性を有することが好ましい。そこで、図１９のように、センター陸部３１のブロック５が凹部８を疎に配置した区間を有することにより、ブロック５の剛性が確保されて、タイヤの操縦安定性能が確保される。
【０１６７】
［変形例５］
図２０〜図２２は、図１６に記載した空気入りタイヤの変形例を示す説明図である。これらの図において、図２０および図２１は、タイヤのトレッド面の平面図を示し、図２２は、ショルダー陸部３３のブロック５の平面図を示している。
【０１６８】
図１６の構成では、上記のように、空気入りタイヤ１が、１つのセンター陸部３１、左右一対のセカンド陸部３２、３２および左右一対のショルダー陸部３３、３３を備え、各陸部３１〜３３が複数のブロック５から成るブロック列を有している。また、すべての陸部３１〜３３のブロック５が複数の凹部８を有し、各ブロック５の凹部８がタイヤ幅方向の一方の端部領域ＥＲ１’で密に配置され、他方の端部領域ＥＲ２’で疎に配置されている（図１７、図１８および図１９参照）。このとき、図２では、すべての陸部３１〜３３のブロック５が、凹部８を密に配置した一方の端部領域ＥＲ１’をタイヤ幅方向の第一側に向けて配置されている。このため、ブロック５のタイヤ幅方向の接地特性が、タイヤ赤道面ＣＬを境界として左右非対称となり、トレッド全域でタイヤ幅方向の一方向に揃えられている。かかる構成では、タイヤの氷上性能および雪上性能を効果的に高め得る点で好ましい。具体的には、車両装着状態にて、上記のように、各陸部３１〜３３ごとに凹部８を密に配置したタイヤ幅方向の第一側を車幅方向外側とすることにより、タイヤの氷上制動性能および氷上旋回性能が向上し、逆に、タイヤ幅方向の第一側を車幅方向内側とすることにより、タイヤの雪上旋回性能および雪上加速性能が向上する。
【０１６９】
これに対して、図２０の構成では、タイヤ左右のセカンド陸部３２、３２およびショルダー陸部３３、３３のブロック５が、凹部８を密に配置した一方の端部領域ＥＲ１’（図１７および図１８参照）をタイヤ赤道面ＣＬ側に向けて配置され、凹部８を疎に配置した他方の端部領域ＥＲ２’をタイヤ接地端Ｔ側に向けて配置されている。このため、ブロック５のタイヤ幅方向の接地特性が、タイヤ赤道面ＣＬを中心として左右対称に構成されている。かかる構成では、接地中心側のエッジ量が増えて雪中せん断力が増えることにより、雪上駆動性能が向上する。
【０１７０】
また、図２１および図２２の構成では、図２０の構成とは対照的に、タイヤ左右のセカンド陸部３２、３２およびショルダー陸部３３、３３のブロック５が、凹部８を密に配置した一方の端部領域ＥＲ１’をタイヤ接地端Ｔ側に向けて配置され（図２２参照）、凹部８を疎に配置した他方の端部領域ＥＲ２’をタイヤ赤道面ＣＬ側に向けて配置されている。これにより、ブロック５のタイヤ幅方向の接地特性が、タイヤ赤道面ＣＬを中心として左右対称に構成されている。かかる構成では、ショルダー側のエッジ量が増えて雪中せん断力が増えることにより、雪上制動および雪上旋回性能が向上する。
【０１７１】
［変形例６］
図１６の構成では、タイヤ赤道面ＣＬを境界とする左右のセカンド陸部３２、３２およびショルダー陸部３３、３３における凹部８の配置密度が、同一に設定されている。このため、トレッド部の接地領域全体としては、凹部８の配置密度がタイヤ左右で均一である。
【０１７２】
しかし、これに限らず、タイヤ赤道面ＣＬを境界とする車幅方向外側領域における凹部８の配置密度Ｄｏｕｔが、車幅方向内側領域における凹部８の配置密度Ｄｉｎよりも高いことが好ましい（Ｄｉｎ＜Ｄｏｕｔ）（図示省略）。すなわち、凹部８が、車幅方向外側領域で密に配置され、車幅方向内側領域で疎に配置される。また、車幅方向外側領域における凹部８の配置密度Ｄｏｕｔが、トレッド部全域における凹部８の配置密度Ｄｔｒよりも高いことが好ましい（Ｄｔｒ＜Ｄｏｕｔ）。
【０１７３】
また、比Ｄｏｕｔ／Ｄｉｎが、１．１０≦Ｄｏｕｔ／Ｄｉｎの範囲にあることが好ましく、１．２０≦Ｄｏｕｔ／Ｄｉｎの範囲にあることがより好ましい。比Ｄｏｕｔ／Ｄｉｎの上限は、特に限定がないが、上記した陸部３１〜３３の連続した接地面における凹部８の配置密度Ｄａの範囲により制約を受ける。
【０１７４】
凹部８の配置密度Ｄｉｎ、Ｄｏｕｔは、各領域（車幅方向内側領域および車幅方向外側領域）に配置された凹部８の総数と、各接地領域の接地面積との比としてそれぞれ定義される。接地面積は、タイヤを規定リムに装着して規定内圧を付与すると共に静止状態にて平板に対して垂直に置いて規定荷重に対応する負荷を加えたときのタイヤと平板との接触面として定義される。
【０１７５】
一般に、（ａ）タイヤがネガティブキャンバを有する車両に装着された場合には、タイヤの車幅方向外側領域の接地圧が相対的に低くなる。このとき、凹部８が車幅方向外側領域で密に配置されるので、車幅方向外側領域の接地面積が減少し、接地圧が上昇して、凹部８による雪柱剪断力（掘り起こし力）が増加する。これにより、タイヤのトラクション性能が向上して、タイヤの雪上性能が向上する。また、（ｂ）車両の旋回走行時には、タイヤの車幅方向外側領域にて、接地圧が高くなり水膜が発生し易くなる。このとき、凹部８が車幅方向外側領域で密に配置されるので、凹部８が吸水作用を発揮することにより車幅方向外側領域の除水性（吸水性を含む）が向上し、また、凹部８により陸部のエッジ成分が増加する。これにより、タイヤの氷上旋回性能が向上する。
【０１７６】
また、上記とは逆に、車幅方向内側領域における凹部８の配置密度Ｄｉｎが、車幅方向外側領域における凹部８の配置密度Ｄｏｕｔよりも高いことが好ましい（Ｄｏｕｔ＜Ｄｉｎ）（図示省略）。すなわち、凹部８が、車幅方向内側領域で密に配置され、車幅方向外側領域で疎に配置される。また、車幅方向内側領域における凹部８の配置密度Ｄｉｎが、トレッド部全域における凹部８の配置密度Ｄｔｒよりも高いことが好ましい（Ｄｔｒ＜Ｄｉｎ）。
【０１７７】
また、比Ｄｉｎ／Ｄｏｕｔが、１．１０≦Ｄｉｎ／Ｄｏｕｔの範囲にあることが好ましく、１．２０≦Ｄｉｎ／Ｄｏｕｔの範囲にあることがより好ましい。比Ｄｉｎ／Ｄｏｕｔの上限は、特に限定がないが、上記した陸部３１〜３３の連続した接地面における凹部８の配置密度Ｄａの範囲により制約を受ける。
【０１７８】
一般に、タイヤがネガティブキャンバを有する車両に装着された場合には、タイヤの車幅方向内側領域にて、トレッド面の接地圧が高くなり水膜が発生し易くなる。このとき、上記のように、凹部８が車幅方向内側領域で密に配置されるので、凹部８が吸水作用を発揮することにより車幅方向内側領域の除水性（吸水性を含む）が向上し、また、凹部８により陸部のエッジ成分が増加する。これにより、タイヤの氷上制動性能および氷上加速性能が向上する。また、凹部８が車幅方向外側領域で疎に配置されるので、車幅方向外側領域の接地面積が確保されて、タイヤの氷上制動性能および氷上旋回性能が向上する。
【０１７９】
［変形例７］
図２３〜図２６は、図１６に記載した空気入りタイヤの変形例を示す説明図である。これらの図において、図２３は、空気入りタイヤ１のトレッド面の平面図を示している。また、図２４は、ショルダー陸部３３を構成する１つのブロック５の平面図を示し、図２５は、セカンド陸部３２を構成する１つのブロック５の平面図を示し、図２６は、センター陸部３１を構成する１つのブロック５の平面図を示している。
【０１８０】
図１６の構成では、上記のように、複数の凹部８が１つのブロック５の接地面内で偏在して配置されることにより、１つのブロック５のタイヤ幅方向の一方の端部領域ＥＲ１’における凹部８の開口面積率Ｓｅ１’がタイヤ幅方向の他方の端部領域ＥＲ２’における凹部８の開口面積率Ｓｅ２’よりも大きく（Ｓｅ２’＜Ｓｅ１’）設定されている。具体的には、図１７、図１８および図１９に示すように、凹部８がブロック５のタイヤ幅方向の一方の端部領域ＥＲ１’に密に配置されている。また、各陸部３１〜３３の凹部８が、同一の開口形状および同一の開口面積を有している。
【０１８１】
しかし、これに限らず、図２３に示すように、複数の凹部８が１つのブロック５の接地面内で開口面積を変化させることにより、タイヤ幅方向の一方の端部領域ＥＲ１’における凹部８の開口面積率Ｓｅ１’が他方の端部領域ＥＲ２’における凹部８の開口面積率Ｓｅ２’よりも大きく（Ｓｅ２’＜Ｓｅ１’）設定されてもても良い。すなわち、比較的大きな開口面積を有する凹部８が、タイヤ幅方向の一方の端部領域ＥＲ１’に配置される。
【０１８２】
具体的には、図２４〜図２６において、タイヤ幅方向の一方の端部領域ＥＲ１’における凹部８の開口面積の平均値Ａｅ１’と、タイヤ幅方向の他方の端部領域ＥＲ２’における凹部８の開口面積の平均値Ａｅ２’とが、Ａｅ２’＜Ａｅ１’の関係を有することにより、凹部８の開口面積率の条件Ｓｅ２’＜Ｓｅ１’が満たされる。また、凹部８の開口面積の平均値Ａｅ１’、Ａｅ２’の比Ａｅ１’／Ａｅ２’が、１．５≦Ａｅ１’／Ａｅ２’≦４．０の関係を有することが好ましく、２．０≦Ａｅ１’／Ａｅ２’≦３．０の関係を有することがより好ましい。また、すべての凹部８が一方の端部領域ＥＲ１’に配置された場合には、Ａｅ２’＝０となり、Ａｅ２’＜Ａｅ１’かつＳｅ２’＜Ｓｅ１’の条件が満たされる。
【０１８３】
また、図２３にように、陸部３１〜３３がタイヤ周方向に配列された複数のブロックから成る場合には、１つのブロック列を構成する７０［％］以上、好ましくは８０［％］以上のブロック５が、上記した凹部８の開口面積の条件Ａｅ２’＜Ａｅ１’かつＳｅ２’＜Ｓｅ１’を満たすことが好ましい。一方で、トレッド全体では、少なくとも１列の陸部が当該ブロック列の条件を満たせば足りる。
【０１８４】
例えば、図２４の構成では、ショルダー陸部３３の１つのブロック５が接地面内に合計１５個の凹部８を有し、また、タイヤ幅方向の一方の端部領域ＥＲ１’と他方の端部領域ＥＲ２’とが６個の凹部８をそれぞれ有している。また、各凹部８が、同一の開口形状を有している。また、一方の端部領域ＥＲ１’には、比較的大きな開口面積の凹部８が配置され、逆に、他方の端部領域ＥＲ２’には、比較的小さな開口面積の凹部８が配置されている。これにより、各領域における凹部８の開口面積の条件Ａｅ２’＜Ａｅ１’かつＳｅ２’＜Ｓｅ１’が同時に満たされている。また、ショルダー陸部３３では、すべてのブロック５の凹部８が、上記の条件Ａｅ２’＜Ａｅ１’かつＳｅ２’＜Ｓｅ１’を満たしている（図２３参照）。
【０１８５】
また、図２５の構成では、セカンド陸部３２のタイヤ幅方向外側にある１つのブロック５（図２３参照）が、接地面内に合計１２個の凹部８を有し、また、タイヤ幅方向の一方の端部領域ＥＲ１’と他方の端部領域ＥＲ２’とが６個の凹部８をそれぞれ有している。また、各凹部８が、同一の開口形状を有している。また、一方の端部領域ＥＲ１’には、比較的大きな開口面積の凹部８が配置され、逆に、他方の端部領域ＥＲ２’には、比較的小さな開口面積の凹部８が配置されている。これにより、各領域における凹部８の開口面積の条件Ａｅ２’＜Ａｅ１’かつＳｅ２’＜Ｓｅ１’が同時に満たされている。また、セカンド陸部３２では、すべてのブロック５の凹部８が、上記の条件Ａｅ２’＜Ａｅ１’かつＳｅ２’＜Ｓｅ１’を満たしている（図２３参照）。
【０１８６】
また、図２６の構成では、センター陸部３１の１つのブロック５が、接地面内に合計３０個の凹部８を有し、また、タイヤ幅方向の一方の端部領域ＥＲ１’と他方の端部領域ＥＲ２’とが１５個の凹部８をそれぞれ有している。また、一方の端部領域ＥＲ１’には、比較的大きな開口面積の凹部８が配置され、逆に、他方の端部領域ＥＲ２’には、比較的小さな開口面積の凹部８が配置されている。また、各領域における凹部８の開口面積の条件Ａｅ２’＜Ａｅ１’かつＳｅ２’＜Ｓｅ１’が同時に満たされている。また、センター陸部３１では、すべてのブロック５の凹部８が、上記の条件Ａｅ２’＜Ａｅ１’かつＳｅ２’＜Ｓｅ１’を満たしている（図２３参照）。
【０１８７】
上記の構成では、（ａ）ブロック５の一方の端部領域ＥＲ１’では、比較的大きな凹部８が配置されるので、凹部８の吸水作用により、氷路における路面の水膜が効率的に吸収され、氷路面に対するブロック踏面の密着性（凝着摩擦力）が向上して、タイヤの氷上制動性能が向上する。また、端部領域ＥＲ１’の接地圧が上昇し、雪路における雪柱剪断力が増加して、タイヤの雪上性能が向上する。また、（ｂ）ブロック５の他方の端部領域ＥＲ２’では、比較的小さな凹部８が配置されるので、ブロック５のエッジ部の剛性が確保され、また、ブロック５のエッジ部の接地面積が確保される。そして、上記のように、ブロック５のタイヤ幅方向の左右の端部領域ＥＲ１’、ＥＲ２’が相互に異なる接地特性を有することにより、タイヤの雪上性能あるいは氷上性能が向上する。
【０１８８】
例えば、図２３におけるタイヤ幅方向の第一側が車両装着状態にて車幅方向外側である場合には、第一側の端部領域ＥＲ１’が車幅方向外側となり、第二側の端部領域ＥＲ２’が車幅方向内側となる。（１）一般に、ブロック５の車幅方向外側のエッジ部では、車両旋回時の接地圧が車幅方向内側よりも大きいため、氷路面の走行時にて接地圧により路面の氷が溶け易く、水膜が発生し易い。このとき、比較的大きな凹部８がブロック５の車幅方向外側の端部領域ＥＲ１’に配置されるので、氷路面の水膜が効率的に吸収される。これにより、氷路面に対するブロック踏面の密着性が向上して、氷路での旋回性能が向上する。また、（２）比較的小さな凹部８がブロック５の車幅方向内側の端部領域ＥＲ２’に配置されるので、ブロック５の車幅方向内側の接地面積が確保されて、氷上制動性能および氷上旋回性能が向上する。加えて、（３）比較的大きな凹部８がブロック５の車幅方向外側の端部領域ＥＲ１’に配置されるので、車両旋回時にて、車幅方向外側の端部領域ＥＲ１’の接地圧が上昇する。これにより、雪路における雪柱剪断力が増加して、タイヤの雪上旋回性能が向上する。
【０１８９】
また、例えば、図２３におけるタイヤ幅方向の第二側が車両装着状態にて車幅方向外側である場合には、第一側の端部領域ＥＲ１’が車幅方向内側となり、第二側の端部領域ＥＲ２’が車幅方向外側となる。このとき、（１）比較的大きな凹部８がブロック５の車幅方向内側の端部領域ＥＲ１’に配置されるので、ブロック５の排雪性能が向上する。これにより、ブロック５のエッジ成分が確保されて、雪上旋回性能および雪上加速性能が向上する。また、（２）比較的小さな凹部８がブロック５の車幅方向外側の端部領域ＥＲ２’に配置されるので、車幅方向外側の端部領域ＥＲ２’の接地面積が確保されて、雪上加速性能が向上する。
【０１９０】
また、図２４〜図２６の構成では、タイヤ幅方向の一方の端部領域ＥＲ１’に配置された７０［％］以上、好ましくは８０［％］以上の凹部８が、ブロック５に配置された凹部８の開口面積の平均値よりも大きな開口面積を有している。すなわち、大きな凹部８の大半が一方の端部領域ＥＲ１’に配置される。これにより、一方の端部領域ＥＲ１’における大きな凹部８の配置数が適正化される。
【０１９１】
また、図２４〜図２６の構成では、平均値よりも大きな開口面積をもつ凹部８が、一方の端部領域ＥＲ１’にてタイヤ幅方向の最も外側に配置され、且つ、前記平均値よりも小さい開口面積をもつ凹部８が、他方の端部領域ＥＲ２’にてタイヤ幅方向の最も外側に配置されている。これにより、異なる開口面積をもつ凹部８を偏在させたことによる作用が向上する。
【０１９２】
例えば、図２４〜図２６の構成では、１つのブロック５が、相互に異なる開口面積をもつ２種類の凹部８を備え、一方の端部領域ＥＲ１’には、大きい凹部８のみが配置され、他方の端部領域ＥＲ２’には、小さい凹部８のみが配置されている。このため、各領域ＥＲ１’、ＥＲ２’が相互に異なる大きさの凹部８を有している。これにより、特徴的な凹部８の配列パターンが形成されている。なお、残りの中央部の領域には、大きい凹部８が配置されている。
【０１９３】
しかし、上記に限らず、一部の小さい凹部８が、一方の端部領域ＥＲ１’および残りの中央部の領域に配置されても良い（図示省略）。また、大きな凹部８が、他方の端部領域ＥＲ２’に配置されても良い（図示省略）。
【０１９４】
また、図２４〜図２６の構成では、ブロック５が、タイヤ周方向に並列に配置されてブロック５を複数の区間に区画する複数のサイプ６と、相互に異なる開口面積をもつ複数種類の凹部８とを備える。そして、一方の端部領域ＥＲ１’では、平均値よりも大きな開口面積をもつ凹部８が、タイヤ周方向に隣り合う任意の３つの区間の少なくとも１つに配置される。すなわち、サイプ６により区画された隣り合う任意の３つの区間が、少なくとも１つの大きな凹部８を有する。これにより、大きな凹部８が一方の端部領域ＥＲ１’にてタイヤ周方向に分散して配置されるので、雪路面の走行時にて、凹部８による雪柱剪断力の向上作用が効率的に得られる。例えば、図２４〜図２６の構成では、サイプ６により区画されたすべての区間が、大きな凹部８を有している。これにより、凹部８が一方の端部領域ＥＲ１’の各区間に分散して配置されている。
【０１９５】
また、上記の構成では、平均値よりも大きな開口面積をもつ凹部８が、一方の端部領域ＥＲ１’におけるブロック５の角部に配置され、且つ、平均値よりも小さな開口面積をもつ凹部８が、他方の端部領域ＥＲ２’におけるブロック５の角部に配置されることが好ましい。これにより、一方の端部領域ＥＲ１’では、大きな凹部８により、氷路面の走行時における踏面の水膜が効率的に吸収されて、タイヤの氷上制動性能が向上する。また、他方の端部領域ＥＲ２’では、小さな凹部８により、ブロック５の角部の接地面積が確保されて、氷路面に対する角部の凝着作用が確保される。これにより、タイヤの氷上性能が確保される。例えば、図２４〜図２６の構成では、周方向溝２１〜２３とラグ溝４１〜４３との交差位置（図２３参照）に形成されたすべてのブロック５の角部に、大きな凹部８あるいは小さな凹部８のいずれか一方が配置されている。
【０１９６】
なお、図２４〜図２６の構成では、各ブロック５の一方の端部領域ＥＲ１’における凹部８の配置数Ｎｅ１’と他方の端部領域ＥＲ２’における凹部８の配置数Ｎｅ２’とが略同一であり、各領域ＥＲ１’、ＥＲ２’における凹部８の配置密度が略同一に設定されている。また、各領域ＥＲ１’、ＥＲ２’における凹部８の配置数が、０．９０≦Ｎｅ１’／Ｎｅ２’≦１．１０の関係を有することが好ましい。これにより、凹部８が各領域ＥＲ１’、ＥＲ２’に均一の配置密度で配置される。
【０１９７】
しかし、これに限らず、上記の条件Ａｅ２’＜Ａｅ１’に加えて、各領域における凹部８の配置数Ｎｅ１’、Ｎｅ２’が、１．２０≦Ｎｅ１’／Ｎｅ２’の関係を有するように、より好ましくは１．５０≦Ｎｅ１’／Ｎｅ２’の関係を有するように設定されても良い。すなわち、タイヤ幅方向の一方の端部領域ＥＲ１’にて、凹部８が、比較的大きな開口面積を有しつつ密に配置される。これにより、各領域における凹部８の開口面積の比Ａｅ１’／Ａｅ２’を小さくしつつ、各領域における凹部８の開口面積率の条件Ｓｅ２’＜Ｓｅ１’を効率的に調整できる。
【０１９８】
［変形例８］
図２７および図２８は、図１６に記載した空気入りタイヤの変形例を示す説明図である。これらの図は、空気入りタイヤ１のトレッド面の平面図を示している。
【０１９９】
図２３の構成では、上記のように、空気入りタイヤ１が、１つのセンター陸部３１、左右一対のセカンド陸部３２、３２および左右一対のショルダー陸部３３、３３を備え、各陸部３１〜３３が複数のブロック５から成るブロック列を有している。また、すべての陸部３１〜３３のブロック５が複数の凹部８を有し、比較的大きな凹部８が各ブロック５のタイヤ幅方向の一方の端部領域ＥＲ１’に配置され、比較的小さな凹部８が他方の端部領域ＥＲ２’に配置されている（図２４〜図２６参照）。このとき、図２３では、すべての陸部３１〜３３のブロック５が、比較的大きな凹部８を配置した一方の端部領域ＥＲ１’をタイヤ幅方向の第一側に向けて配置されている。このため、ブロック５のタイヤ幅方向の接地特性が、タイヤ赤道面ＣＬを境界として左右非対称となり、トレッド全域でタイヤ幅方向の一方向に揃えられている。かかる構成では、タイヤの氷上性能および雪上性能を効果的に高め得る点で好ましい。具体的には、車両装着状態にて、上記のように、比較的大きな凹部８を配置したタイヤ幅方向の第一側を車幅方向外側とすることにより、タイヤの氷上制動性能および氷上旋回性能が向上し、逆に、タイヤ幅方向の第一側を車幅方向内側とすることにより、タイヤの雪上旋回性能および雪上加速性能が向上する。
【０２００】
これに対して、図２７の構成では、タイヤ左右のセカンド陸部３２、３２およびショルダー陸部３３、３３のブロック５が、比較的大きな凹部８を配置した一方の端部領域ＥＲ１’（図２４および図２５参照）をタイヤ赤道面ＣＬ側に向けて配置され、比較的小さな凹部８を配置した他方の端部領域ＥＲ２’をタイヤ接地端Ｔ側に向けて配置されている。このため、ブロック５のタイヤ幅方向の接地特性が、タイヤ赤道面ＣＬを中心として左右対称に構成されている。かかる構成では、接地中心側のエッジ量が増えて雪中せん断力が増えることにより、雪上駆動性能が向上する。
【０２０１】
また、図２８の構成では、図２７の構成とは対照的に、タイヤ左右のセカンド陸部３２、３２およびショルダー陸部３３、３３のブロック５が、比較的大きな凹部８を配置した一方の端部領域ＥＲ１’をタイヤ接地端Ｔ側に向けて配置され、比較的小さな凹部８を配置した他方の端部領域ＥＲ２’をタイヤ赤道面ＣＬ側に向けて配置されている。これにより、ブロック５のタイヤ幅方向の接地特性が、タイヤ赤道面ＣＬを中心として左右対称に構成されている。かかる構成では、ショルダー側のエッジ量が増えて雪中せん断力が増えることにより、雪上制動および雪上旋回性能が向上する。
【０２０２】
［変形例９］
図２３の構成では、タイヤ赤道面ＣＬを境界とする左右のセカンド陸部３２、３２およびショルダー陸部３３、３３における凹部８の配置密度が、同一に設定されている。このため、トレッド部の接地領域全体としては、凹部８の配置密度がタイヤ左右で均一である。
【０２０３】
しかし、これに限らず、車幅方向外側領域における凹部８の配置密度Ｄｏｕｔが、車幅方向内側領域における凹部８の配置密度Ｄｉｎよりも高いことが好ましい（Ｄｉｎ＜Ｄｏｕｔ）（図示省略）。すなわち、凹部８が、車幅方向外側領域で密に配置され、車幅方向内側領域で疎に配置される。また、車幅方向外側領域における凹部８の配置密度Ｄｏｕｔが、トレッド部全域における凹部８の配置密度Ｄｔｒよりも高いことが好ましい（Ｄｔｒ＜Ｄｏｕｔ）。
【０２０４】
また、比Ｄｏｕｔ／Ｄｉｎが、１．１０≦Ｄｏｕｔ／Ｄｉｎの範囲にあることが好ましく、１．２０≦Ｄｏｕｔ／Ｄｉｎの範囲にあることがより好ましい。比Ｄｏｕｔ／Ｄｉｎの上限は、特に限定がないが、上記した陸部３１〜３３の連続した接地面における凹部８の配置密度Ｄａの範囲により制約を受ける。
【０２０５】
一般に、（ａ）タイヤがネガティブキャンバを有する車両に装着された場合には、タイヤの車幅方向外側領域の接地圧が相対的に低くなる。このとき、比較的大きな凹部８が車幅方向外側領域に配置されるので、車幅方向外側領域の接地面積が減少し、接地圧が上昇して、凹部８による雪柱剪断力（掘り起こし力）が増加する。これにより、タイヤのトラクション性能が向上して、タイヤの雪上性能が向上する。また、（ｂ）車両の旋回走行時には、タイヤの車幅方向外側領域にて、接地圧が高くなり水膜が発生し易くなる。このとき、比較的大きな凹部８が車幅方向外側領域に配置されるので、凹部８が吸水作用を発揮することにより車幅方向外側領域の除水性（吸水性を含む）が向上し、また、凹部８により陸部のエッジ成分が増加する。これにより、タイヤの氷上旋回性能が向上する。
【０２０６】
また、上記とは逆に、車幅方向内側領域における凹部８の配置密度Ｄｉｎが、車幅方向外側領域における凹部８の配置密度Ｄｏｕｔよりも高いことが好ましい（Ｄｏｕｔ＜Ｄｉｎ）（図示省略）。すなわち、凹部８が、車幅方向内側領域で密に配置され、車幅方向外側領域で疎に配置される。また、車幅方向内側領域における凹部８の配置密度Ｄｉｎが、トレッド部全域における凹部８の配置密度Ｄｔｒよりも高いことが好ましい（Ｄｔｒ＜Ｄｉｎ）。
【０２０７】
また、比Ｄｉｎ／Ｄｏｕｔが、１．１０≦Ｄｉｎ／Ｄｏｕｔの範囲にあることが好ましく、１．２０≦Ｄｉｎ／Ｄｏｕｔの範囲にあることがより好ましい。比Ｄｉｎ／Ｄｏｕｔの上限は、特に限定がないが、上記した陸部３１〜３３の連続した接地面における凹部８の配置密度Ｄａの範囲により制約を受ける。
【０２０８】
一般に、タイヤがネガティブキャンバを有する車両に装着された場合には、タイヤの車幅方向内側領域にて、トレッド面の接地圧が高くなり水膜が発生し易くなる。このとき、上記のように、比較的大きな凹部８が車幅方向内側領域に配置されるので、凹部８が吸水作用を発揮することにより車幅方向内側領域の除水性（吸水性を含む）が向上し、また、凹部８により陸部のエッジ成分が増加する。これにより、タイヤの氷上制動性能および氷上加速性能が向上する。また、比較的小さな凹部８が車幅方向外側領域に配置されるので、車幅方向外側領域の接地面積が確保されて、タイヤの氷上制動性能および氷上旋回性能が向上する。
【０２０９】
［効果］
以上説明したように、この空気入りタイヤ１は、複数のブロック５をトレッド面に備える（図２参照）。また、ブロック５が、５０［μｍ］以下の算術平均粗さＲａをもつフラットな領域と、複数の凹部８とを接地面に備える（図３および図４参照）。また、ブロックの全域における前記フラットな領域の面積比率が、５０［％］以上である。また、１つのブロック５の接地面をタイヤ周方向に三等分して一対の端部領域を定義するときに、ブロック５の接地面のタイヤ周方向の一方の端部領域ＥＲ１における凹部８の開口面積率Ｓｅ１と、タイヤ周方向の他方の端部領域ＥＲ２における凹部８の開口面積率Ｓｅ２とが、Ｓｅ２＜Ｓｅ１の関係を有する。
【０２１０】
かかる構成では、（１）ブロック５が凹部８を接地面に備えるので、タイヤ接地時にて、凹部８が氷路面とトレッド面との間に生ずる水膜を吸い取ることにより、氷路面に対するブロック踏面の密着性が向上する。これにより、タイヤの氷上制動性能が向上する利点がある。また、凹部８によりブロック５のエッジ成分が増加して、雪路における雪柱剪断力（いわゆる掘り起こし力）が増加する。これにより、タイヤの雪上性能が向上する利点がある。
【０２１１】
また、（２）ブロック５の一方の端部領域ＥＲ１では、凹部８が高い開口面積率Ｓｅ１で配置されるので、凹部８の吸水作用により、氷路における路面の水膜が効率的に吸収され、氷路面に対するブロック踏面の密着性（凝着摩擦力）が向上して、タイヤの氷上制動性能が向上する。また、端部領域ＥＲ１の接地圧が上昇し、雪路における雪柱剪断力が増加して、タイヤの雪上性能が向上する。また、ブロック５の他方の端部領域ＥＲ２では、凹部８が低い開口面積率Ｓｅ２で配置されるので、ブロック５のエッジ部の剛性が確保され、また、ブロック５のエッジ部の接地面積が確保される。そして、上記のように、ブロック５のタイヤ周方向の前後の端部領域ＥＲ１、ＥＲ２が相互に異なる接地特性を有することにより、タイヤの雪上性能あるいは氷上性能が向上する利点がある。
【０２１２】
また、（３）凹部８が、サイプ（例えば、線状サイプ６や円形サイプ（図示省略））と比較して浅いので、ブロック５の剛性が適正に確保される。これにより、タイヤの氷上制動性能が確保される利点がある。
【０２１３】
また、この空気入りタイヤ１では、一方の端部領域ＥＲ１における凹部８の開口面積率Ｓｅ１と、他方の端部領域ＥＲ２における凹部８の開口面積率Ｓｅ２とが、１．５０≦Ｓｅ１／Ｓｅ２の関係を有する。これにより、ブロック５のタイヤ周方向の前後の端部領域ＥＲ１、ＥＲ２における凹部８の開口面積率比Ｓｅ１／Ｓｅ２が確保されて、凹部８の開口面積の偏りによる作用が適正に得られる利点がある。
【０２１４】
また、この空気入りタイヤ１では、一方の端部領域ＥＲ１における凹部８の配置数Ｎｅ１と、他方の端部領域ＥＲ２における凹部８の配置数Ｎｅ２とが、Ｎｅ２＜Ｎｅ１の関係を有する（図３、図６および図７参照）。かかる構成では、ブロック５の一方の端部領域ＥＲ１にて、凹部８が密に配置されるので、凹部８の吸水作用により、氷路における路面の水膜が効率的に吸収され、氷路面に対するブロック踏面の密着性が向上して、タイヤの氷上制動性能が向上する。また、一方の端部領域ＥＲ１の接地圧が上昇し、雪路における雪柱剪断力が増加して、タイヤの雪上性能が向上する。また、ブロック５の他方の端部領域ＥＲ２では、凹部８が疎に配置されるので、ブロック５のエッジ部の剛性が確保され、また、ブロック５のエッジ部の接地面積が確保される。そして、上記のように、ブロック５のタイヤ周方向の前後の端部領域ＥＲ１、ＥＲ２が相互に異なる接地特性を有することにより、タイヤの雪上性能あるいは氷上性能が向上する利点がある。
【０２１５】
また、この空気入りタイヤ１では、一方の端部領域ＥＲ１における凹部８の配置数Ｎｅ１と、他方の端部領域ＥＲ２における凹部８の配置数Ｎｅ２とが、１．５０≦Ｎｅ１／Ｎｅ２の関係を有する（図３、図６および図７参照）。これにより、ブロック５のタイヤ周方向の前後の端部領域ＥＲ１、ＥＲ２における凹部８の疎密配置が適正化される利点がある。
【０２１６】
また、この空気入りタイヤ１では、他方の端部領域ＥＲ２における凹部８の配置密度Ｄｅ２が、０．８［個／ｃｍ＾２］≦Ｄｅ２≦４．０［個／ｃｍ＾２］の範囲にある。これにより、凹部８を疎に配置した端部領域ＥＲ２における凹部８の配置密度Ｄｅ２が適正化される利点がある。すなわち、０．８［個／ｃｍ＾２］≦Ｄｅ２であることにより、凹部８の配置数が確保されて、凹部８の機能が適正に確保される。また、Ｄａ≦４．０［個／ｃｍ＾２］であることにより、ブロック５の接地面積が適正に確保される。
【０２１７】
また、この空気入りタイヤ１は、タイヤ回転方向を示す表示部（図示省略）を備え、且つ、一方の端部領域ＥＲ１がタイヤ回転方向の踏み込み側にある（例えば、図２において、大きな開口面積率Ｓｅ１を有するタイヤ周方向の第一側がタイヤ回転方向となる）ことが好ましい。これにより、タイヤの氷上性能が向上する利点がある。すなわち、（１）ブロック５の踏み込み側のエッジ部では、タイヤ接地時の接地圧が蹴り出し側よりも大きいため、氷路面の走行時にて接地圧により路面の氷が溶け易く、水膜が発生し易い。このとき、ブロック５の踏み込み側の端部領域ＥＲ１にて、凹部８の開口面積率Ｓｅ１が大きいので、氷路面の水膜が効率的に吸収される。これにより、氷路面に対するブロック踏面の密着性が向上して、氷路での制動性能が向上する。また、（２）ブロック５の蹴り出し側の端部領域ＥＲ２にて、凹部８の開口面積率Ｓｅ２が小さいので、ブロック５の蹴り出し側の接地面積が確保されて、氷上制動性能および氷上加速性能が向上する。
【０２１８】
また、この空気入りタイヤ１では、タイヤ回転方向を示す表示部を備え（図示省略）、且つ、タイヤ周方向の一方の端部領域ＥＲ１がタイヤ回転方向の蹴り出し側にある（例えば、図２において、大きな開口面積率Ｓｅ１を有するタイヤ周方向の第一側が、タイヤ回転方向に対して逆方向となる）ことが好ましい。これにより、タイヤの雪上性能が向上する利点がある。すなわち、（１）ブロック５の蹴り出し側の端部領域ＥＲ１にて、凹部８の開口面積率Ｓｅ１が大きいので、ブロック５の蹴り出し側の端部領域ＥＲ１における排雪性能が向上する。これにより、ブロック５のエッジ成分が確保されて、雪路での雪上制動性能および雪上加速性能が向上する。また、（２）ブロック５の踏み込み側の端部領域ＥＲ２にて、凹部８の開口面積率Ｓｅ２が小さいので、踏み込み側の端部領域ＥＲ２の接地面積が確保されて、雪上加速性能が向上する。
【０２１９】
また、この空気入りタイヤ１では、複数のサイプ６が、タイヤ周方向に並列に配置されてブロック５を複数の区間に区画する。また、タイヤ周方向に隣り合う一対の区間に配置された凹部８が、タイヤ幅方向に相互にオフセットして配置される（特に、図３および図６参照）。これにより、凹部８がタイヤ幅方向に分散して配置されて、ブロック５の接地面形状が良好となる利点がある。
【０２２０】
また、この空気入りタイヤ１では、複数のサイプ６が、タイヤ周方向に並列に配置されて陸部３１〜３３を複数の区間に区画する。また、タイヤ周方向に隣り合う任意の３つの区間の少なくとも１つが、凹部８を一方の端部領域ＥＲ１に有する（図３、図６および図７参照）。これにより、ブロック５における凹部８の配置数が確保されて、凹部８による雪上性能あるいは氷上性能の向上作用が高まる利点がある。
【０２２１】
また、この空気入りタイヤ１では、複数のサイプ６が、タイヤ周方向に並列に配置されてブロック５を複数の区間に区画する。また、他方の端部領域ＥＲ２にある隣り合う任意の３つの前記区間が、凹部８を有する区間と、凹部８を有さない前記区間とをそれぞれ含む（図７参照）。かかる構成では、凹部８を疎に配置した端部領域ＥＲ２が凹部８を有さない区間を有することにより、凹部８が分散して配置される。これにより、ブロック５の接地面積が確保されて、凹部８を疎に配置した端部領域ＥＲ２の接地特性が効果的に高まる利点がある。
【０２２２】
また、この空気入りタイヤ１では、複数のサイプ６が、タイヤ周方向に並列に配置されてブロック５を複数の区間に区画する。また、他方の端部領域ＥＲ２にある最もタイヤ周方向外側の区間が、ブロック５の角部にのみ凹部８を有する（図３、図６および図７参照）。したがって、凹部８を疎に配置した端部領域ＥＲ２では、ブロック５のタイヤ周方向のエッジ部の区間が、角部にのみ凹部８を有し、中央部には凹部８を有さない。これにより、他方の配置領域ＥＲ２におけるブロック５のエッジ部の接地面積が確保される利点がある。
【０２２３】
また、この空気入りタイヤ１では、凹部８が、ブロック５の接地面にて円形状（図４参照）あるいは楕円形状（図示省略）を有する。これにより、凹部８が多角形を有する構成（図示省略）と比較して、ブロック５の接地面の偏摩耗を抑制できる利点がある。
【０２２４】
また、この空気入りタイヤ１では、凹部８の壁角度αが、−８５［deg］≦α≦９５［deg］の範囲にある（図５参照）。かかる構成では、凹部８の壁角度αがブロック５の踏面に対して略垂直となることにより、凹部８のエッジ作用が向上する利点がある。
【０２２５】
また、この空気入りタイヤ１では、トレッド部センター領域における凹部８の配置密度Ｄｃｅと、トレッド部ショルダー領域における凹部８の配置密度Ｄｓｈとが、Ｄｃｅ＜Ｄｓｈの関係を有することが好ましい（図２参照）。かかる構成では、凹部８がトレッド部ショルダー領域で密に配置されるので、凹部８が吸水作用を発揮することにより、接地圧が高く水膜が発生し易いトレッド部ショルダー領域の除水性（特に、吸水性）が向上し、また、凹部８により陸部のエッジ成分が増加する。これにより、タイヤの氷上制動性能および氷上旋回性能が向上する利点がある。また、凹部８がトレッド部センター領域で疎に配置されるので、トレッド部センター領域の接地面積が確保されて、タイヤの氷上制動性能が向上する利点がある。
【０２２６】
また、この空気入りタイヤ１では、トレッド部センター領域における凹部８の配置密度Ｄｃｅと、トレッド部ショルダー領域における凹部８の配置密度Ｄｓｈとが、Ｄｓｈ＜Ｄｃｅの関係を有することが好ましい（図示省略）。かかる構成では、凹部８がトレッド部センター領域で密に配置されるので、トレッド部センター領域の接地面積が減少し、接地圧が上昇して、凹部８による雪柱剪断力が増加する。これにより、タイヤのトラクション性能が向上して、タイヤの雪上性能が向上する利点がある。また、凹部８がトレッド部ショルダー領域で疎に配置されるので、トレッド部ショルダー領域の剛性が確保される。これにより、タイヤの雪上性能が向上する利点がある。
【０２２７】
また、この空気入りタイヤ１では、一方の端部領域ＥＲ１における凹部８の開口面積の平均値Ａｅ１と、他方の端部領域ＥＲ２における凹部８の開口面積の平均値Ａｅ２とが、Ａｅ２＜Ａｅ１の関係を有する（図１２〜図１４参照）。かかる構成では、（ａ）ブロック５の一方の端部領域ＥＲ１では、比較的大きな凹部８が配置されるので、氷路走行時にて、凹部８の吸水作用により、氷路面の水膜が効率的に吸収され、氷路面に対するブロック踏面の密着性が向上して、タイヤの氷上制動性能が向上する利点がある。また、雪路走行時には、端部領域ＥＲ１の接地圧が上昇し、雪路における雪柱剪断力が増加して、タイヤの雪上性能が向上する利点がある。また、（ｂ）ブロック５の他方の端部領域ＥＲ２では、比較的小さな凹部８が配置されるので、ブロック５のエッジ部の剛性が確保され、また、ブロック５のエッジ部の接地面積が確保される。そして、ブロック５のタイヤ周方向の前後の端部領域ＥＲ１、ＥＲ２が、上記した相互に異なる接地特性を有することにより、タイヤの氷上性能および雪上性能が向上する利点がある。
【０２２８】
また、この空気入りタイヤ１では、タイヤ周方向の一方の端部領域ＥＲ１における凹部８の開口面積の平均値Ａｅ１と、他方の端部領域ＥＲ２における凹部８の開口面積の平均値Ａｅ２とが、１．５≦Ａｅ１／Ａｅ２≦４．０の関係を有する。これにより、各領域ＥＲ１、ＥＲ２における凹部８の開口面積の比Ａｅ１／Ａｅ２が適正化される利点がある。すなわち、１．５≦Ａｅ１／Ａｅ２であることにより、各領域ＥＲ１、ＥＲ２における凹部８の開口面積の比Ａｅ１／Ａｅ２が確保されて、凹部８の開口面積の偏りによる作用が適正に得られる。また、Ａｅ１／Ａｅ２≦４．０であることにより、開口面積の比Ａｅ／Ａｃが過大となる事態が回避されて、ブロック５の偏摩耗が抑制される。
【０２２９】
また、この空気入りタイヤ１では、陸部３１〜３３が、相互に異なる開口面積をもつ複数種類の凹部８を備え、且つ、一方の端部領域ＥＲ１に配置された７０［％］以上の凹部８が、ブロック５に配置された凹部８の開口面積の平均値よりも大きな開口面積を有する（図１２〜図１４参照）。これにより、一方の端部領域ＥＲ１における大きな凹部８の配置数が適正化されて、大きな凹部８の機能が確保される利点がある。 
【０２３０】
また、この空気入りタイヤ１では、ブロック５が、相互に異なる開口面積をもつ複数種類の凹部８を備え、且つ、ブロック５に配置された凹部８の開口面積の平均値よりも大きな開口面積をもつ凹部８が、一方の端部領域ＥＲ１にてタイヤ周方向の最も外側に配置され、且つ、前記平均値よりも小さい開口面積をもつ凹部８が、他方の端部領域ＥＲ２にてタイヤ周方向の最も外側に配置される（図１２〜図１４参照）。これにより、異なる開口面積をもつ凹部８を偏在させたことによる作用が向上する利点がある。
【０２３１】
また、この空気入りタイヤ１では、ブロック５が、タイヤ周方向に並列に配置されてブロック５を複数の区間に区画する複数のサイプ６と、相互に異なる開口面積をもつ複数種類の凹部８とを備える（図１２〜図１４参照）。また、ブロック５に配置された凹部８の開口面積の平均値よりも大きな開口面積をもつ凹部８が、一方の端部領域ＥＲ１にてタイヤ周方向に隣り合う任意の３つの前記区間の少なくとも１つに配置される。これにより、大きな凹部８がタイヤ周方向に分散して配置されて、凹部８の機能が適正に確保される利点がある。
【０２３２】
また、この空気入りタイヤ１では、ブロック５が、相互に異なる開口面積をもつ複数種類の凹部８を備える（図１２〜図１４参照）。また、ブロック５に配置された凹部８の開口面積の平均値よりも大きな開口面積をもつ凹部８が、一方の端部領域ＥＲ１にてブロック５の角部に配置され、且つ、前記平均値よりも小さな開口面積をもつ凹部８が、他方の端部領域ＥＲ２にてブロック５の角部に配置される。これにより、異なる開口面積をもつ凹部８を偏在させたことによる作用が向上する利点がある。
【０２３３】
また、この空気入りタイヤ１は、リブあるいは複数のブロック（図１６参照）を有する陸部３１〜３３をトレッド面に備える。また、陸部３１〜３３が、５０［μｍ］以下の算術平均粗さをもつフラットな領域と、複数の凹部８とを接地面に備える（図１７、図１８および図１９参照）。また、連続した接地面の全域における前記フラットな領域の面積比率が、５０［％］以上である。また、陸部３１〜３３における連続した接地面のタイヤ幅方向の端部から前記連続した接地面の接地幅の４０［％］の領域を端部領域ＥＲ１’、ＥＲ２’として定義するときに、陸部３１〜３３の連続した接地面のタイヤ幅方向の一方の端部領域ＥＲ１’における凹部８の開口面積率Ｓｅ１’と、タイヤ幅方向の他方の端部領域ＥＲ２’における凹部８の開口面積率Ｓｅ２’とが、Ｓｅ２’＜Ｓｅ１’の関係を有する。
【０２３４】
かかる構成では、（１）陸部３１〜３３が凹部８を接地面に備えるので、タイヤ接地時にて、凹部８が氷路面とトレッド面との間に生ずる水膜を吸い取ることにより、氷路面に対する陸部踏面の密着性が向上する。これにより、タイヤの氷上制動性能が向上する利点がある。また、凹部８により陸部３１〜３３のエッジ成分が増加して、雪路における雪柱剪断力（いわゆる掘り起こし力）が増加する。これにより、タイヤの雪上性能が向上する利点がある。
【０２３５】
また、（２）陸部３１〜３３の一方の端部領域ＥＲ１’では、凹部８が高い開口面積率Ｓｅ１’で配置されるので、凹部８の吸水作用により、氷路における路面の水膜が効率的に吸収され、氷路面に対する陸部踏面の密着性（凝着摩擦力）が向上して、タイヤの氷上制動性能が向上する。また、端部領域ＥＲ１’の接地圧が上昇し、雪路における雪柱剪断力が増加して、タイヤの雪上性能が向上する。また、陸部３１〜３３の他方の端部領域ＥＲ２’では、凹部８が低い開口面積率Ｓｅ２’で配置されるので、陸部３１〜３３のエッジ部の剛性が確保され、また、陸部３１〜３３のエッジ部の接地面積が確保される。そして、上記のように、陸部３１〜３３のタイヤ幅方向の左右の端部領域ＥＲ１’、ＥＲ２’が相互に異なる接地特性を有することにより、タイヤの雪上性能あるいは氷上性能が向上する利点がある。
【０２３６】
また、（３）凹部８が、サイプ（例えば、線状サイプ６や円形サイプ（図示省略））と比較して浅いので、陸部３１〜３３の剛性が適正に確保される。これにより、タイヤの氷上制動性能が確保される利点がある。
【０２３７】
また、この空気入りタイヤ１では、一方の端部領域ＥＲ１’における凹部８の開口面積率Ｓｅ１’と、他方の端部領域ＥＲ２’における凹部８の開口面積率Ｓｅ２’とが、１．５０≦Ｓｅ１’／Ｓｅ２’の関係を有する。これにより、陸部３１〜３３のタイヤ幅方向の左右の端部領域ＥＲ１’、ＥＲ２’における凹部８の開口面積率比Ｓｅ１’／Ｓｅ２’が確保されて、凹部８の開口面積の偏りによる作用が適正に得られる利点がある。
【０２３８】
また、この空気入りタイヤ１では、一方の端部領域ＥＲ１’における凹部８の配置数Ｎｅ１’と、他方の端部領域ＥＲ２’における凹部８の配置数Ｎｅ２’とが、Ｎｅ２’＜Ｎｅ１’の関係を有する（図１７、図１８および図１９参照）。かかる構成では、陸部３１〜３３の一方の端部領域ＥＲ１’にて、凹部８が密に配置されるので、凹部８の吸水作用により、氷路における路面の水膜が効率的に吸収され、氷路面に対する陸部踏面の密着性が向上して、タイヤの氷上制動性能が向上する。また、一方の端部領域ＥＲ１’の接地圧が上昇し、雪路における雪柱剪断力が増加して、タイヤの雪上性能が向上する。また、陸部３１〜３３の他方の端部領域ＥＲ２’では、凹部８が疎に配置されるので、陸部３１〜３３のエッジ部の剛性が確保され、また、陸部３１〜３３のエッジ部の接地面積が確保される。そして、上記のように、陸部３１〜３３のタイヤ幅方向の左右の端部領域ＥＲ１’、ＥＲ２’が相互に異なる接地特性を有することにより、タイヤの雪上性能あるいは氷上性能が向上する利点がある。
【０２３９】
また、この空気入りタイヤ１では、一方の端部領域ＥＲ１’における凹部８の配置数Ｎｅ１’と、他方の端部領域ＥＲ２’における凹部８の配置数Ｎｅ２’とが、１．５０≦Ｎｅ１’／Ｎｅ２’の関係を有する（図１７、図１８および図１９参照）。これにより、陸部３１〜３３のタイヤ幅方向の左右の端部領域ＥＲ１’、ＥＲ２’における凹部８の疎密配置が適正化される利点がある。
【０２４０】
また、この空気入りタイヤ１では、他方の端部領域ＥＲ２’における凹部８の配置密度Ｄｅ２’が、０．８［個／ｃｍ＾２］≦Ｄｅ２’≦４．０［個／ｃｍ＾２］の範囲にある。これにより、凹部８を疎に配置した端部領域ＥＲ２’における凹部８の配置密度Ｄｅ２’が適正化される利点がある。すなわち、０．８［個／ｃｍ＾２］≦Ｄｅ２’であることにより、凹部８の配置数が確保されて、凹部８の機能が適正に確保される。また、Ｄｅ２’≦４．０［個／ｃｍ＾２］であることにより、陸部３１〜３３の接地面積が適正に確保される。
【０２４１】
また、この空気入りタイヤ１は、車両装着方向を示す表示部（図示省略）を備え、且つ、前記一方の端部領域ＥＲ１’が車両装着方向の車幅方向外側にある（例えば、図１６において、大きな開口面積率Ｓｅ１’を有するタイヤ幅方向の第一側が車幅方向外側となる）ことが好ましい。これにより、タイヤの氷上性能が向上する利点がある。すなわち、（１）陸部３１〜３３の車幅方向外側のエッジ部では、車両旋回時の接地圧が車幅方向内側よりも大きいため、氷路面の走行時にて接地圧により路面の氷が溶け易く、水膜が発生し易い。このとき、陸部３１〜３３の車幅方向外側の端部領域ＥＲ１’にて、凹部８の開口面積率Ｓｅ１’が大きいので、氷路面の水膜が効率的に吸収される。これにより、氷路面に対する陸部踏面の密着性が向上して、氷路での旋回性能が向上する。また、（２）陸部３１〜３３の車幅方向内側の端部領域ＥＲ２’にて、凹部８の開口面積率Ｓｅ２’が小さいので、陸部３１〜３３の車幅方向内側の接地面積が確保されて、氷上制動性能および氷上旋回性能が向上する。
【０２４２】
また、この空気入りタイヤ１では、車両装着方向を示す表示部を備え（図示省略）、且つ、前記一方の端部領域ＥＲ１’が車両装着方向の車幅方向内側にある（例えば、図１６において、大きな開口面積率Ｓｅ１’を有するタイヤ幅方向の第一側が車幅方向内側となる）ことが好ましい。これにより、タイヤの雪上性能が向上する利点がある。すなわち、（１）陸部３１〜３３の車幅方向内側の端部領域ＥＲ１’にて、凹部８の開口面積率Ｓｅ１’が大きいので、陸部３１〜３３の車幅方向内側の端部領域ＥＲ１’における排雪性能が向上する。これにより、陸部３１〜３３のエッジ成分が確保されて、雪路での雪上旋回性能および雪上加速性能が向上する。また、（２）陸部３１〜３３の車幅方向内側の端部領域ＥＲ１’にて、凹部８の開口面積率Ｓｅ２’が小さいので、車幅方向内側の端部領域ＥＲ１’の接地面積が確保されて、雪上加速性能が向上する。
【０２４３】
また、この空気入りタイヤ１では、複数のサイプ６が、タイヤ周方向に並列に配置されて陸部３１〜３３を複数の区間に区画する。また、タイヤ周方向に隣り合う一対の区間に配置された凹部８が、タイヤ幅方向に相互にオフセットして配置される（図１７、図１８および図１９参照）。これにより、凹部８がタイヤ幅方向に分散して配置されて、陸部３１〜３３の接地面形状が良好となる利点がある。
【０２４４】
また、この空気入りタイヤ１では、複数のサイプ６が、タイヤ周方向に並列に配置されて陸部３１〜３３を複数の区間に区画する。また、タイヤ周方向に隣り合う任意の３つの区間の少なくとも１つが、凹部８を一方の端部領域ＥＲ１’に有する（図１７、図１８および図１９参照）。これにより、連続した接地面における凹部８の配置数が確保されて、凹部８による雪上性能あるいは氷上性能の向上作用が高まる利点がある。
【０２４５】
また、この空気入りタイヤ１では、複数のサイプ６が、タイヤ周方向に並列に配置されて陸部３１〜３３を複数の区間に区画する。また、タイヤ周方向に隣り合う任意の３つの前記区間が、凹部８を有する区間と凹部８を有さない区間とを他方の端部領域ＥＲ２’にそれぞれ有する（図１９参照）。かかる構成では、小さな開口面積率Ｓｅ２’を有する端部領域ＥＲ２’が凹部８を有さない区間を有することにより、凹部８が分散して配置される。これにより、陸部３１〜３３の接地面積が確保されて、小さな開口面積率Ｓｅ２’を有する他方の端部領域ＥＲ２’の接地特性が効果的に高まる利点がある。
【０２４６】
また、この空気入りタイヤ１では、陸部３１〜３３が複数のブロック５を有し、複数のサイプ６がタイヤ周方向に並列に配置されてブロック５を複数の区間に区画する。また、タイヤ周方向の前後のエッジ部を含む区間が、ブロック５の角部にのみ凹部８を有する（図１７、図１８および図１９参照）。したがって、ブロック５のタイヤ周方向の前後のエッジ部では、サイプ６に区画された区間が、角部にのみ凹部８を有し、中央部には凹部８を有さない。これにより、ブロック５のエッジ部の接地面積が確保される利点がある。 
【０２４７】
また、この空気入りタイヤ１では、凹部８が、陸部３１〜３３の接地面にて円形状（図４参照）あるいは楕円形状（図示省略）を有する。これにより、凹部８が多角形を有する構成（図示省略）と比較して、陸部３１〜３３の接地面の偏摩耗を抑制できる利点がある。
【０２４８】
また、この空気入りタイヤ１では、凹部８の壁角度αが、−８５［deg］≦α≦９５［deg］の範囲にある（図５参照）。かかる構成では、凹部８の壁角度αが陸部３１〜３３の踏面に対して略垂直となることにより、凹部８のエッジ作用が向上する利点がある。
【０２４９】
また、この空気入りタイヤ１では、車両に対する装着方向の表示部を備え、且つ、タイヤ赤道面ＣＬを境界とする車幅方向外側領域における凹部８の配置密度Ｄｏｕｔと、車幅方向内側領域における凹部８の配置密度Ｄｉｎとが、Ｄｉｎ＜Ｄｏｕｔの関係を有することが好ましい（図示省略）。（ａ）タイヤがネガティブキャンバを有する車両に装着された場合には、タイヤの車幅方向外側領域の接地圧が相対的に低くなる。このとき、凹部８が車幅方向外側領域で密に配置されるので、車幅方向外側領域の接地面積が減少し、接地圧が上昇して、凹部８による雪柱剪断力が増加する。これにより、タイヤのトラクション性能が向上して、タイヤの雪上性能が向上する利点がある。また、（ｂ）車両の旋回走行時には、タイヤの車幅方向外側領域にて、接地圧が高くなり水膜が発生し易くなる。このとき、凹部８が車幅方向外側領域で密に配置されるので、凹部８が吸水作用を発揮することにより車幅方向外側領域の除水性（吸水性を含む）が向上し、また、凹部８により陸部のエッジ成分が増加する。これにより、タイヤの氷上旋回性能が向上する利点がある。
【０２５０】
また、この空気入りタイヤ１では、車両に対する装着方向の表示部を備え、且つ、タイヤ赤道面ＣＬを境界とする車幅方向外側領域における凹部８の配置密度Ｄｏｕｔと、車幅方向内側領域における凹部８の配置密度Ｄｉｎとが、Ｄｏｕｔ＜Ｄｉｎの関係を有する。（ａ）タイヤがネガティブキャンバを有する車両に装着された場合には、タイヤの車幅方向内側領域にて、接地圧が高くなり水膜が発生し易くなる。このとき、凹部８が車幅方向内側領域で密に配置されるので、凹部８が吸水作用を発揮することにより車幅方向内側領域の除水性（吸水性を含む）が向上し、また、凹部８により陸部のエッジ成分が増加する。これにより、タイヤの氷上制動性能および氷上加速性能が向上する利点がある。また、（ｂ）凹部８が車幅方向外側領域で疎に配置されるので、車幅方向外側領域の接地面積が確保されて、タイヤの氷上制動性能が向上する利点がある。
【０２５１】
また、この空気入りタイヤ１では、一方の端部領域ＥＲ１’における凹部８の開口面積の平均値Ａｅ１’と、他方の端部領域ＥＲ２’における凹部８の開口面積の平均値Ａｅ２’とが、Ａｅ２’＜Ａｅ１’の関係を有する（図２４〜図２６参照）。かかる構成では、陸部３１〜３３の一方の端部領域ＥＲ１’では、比較的大きな凹部８が配置されるので、凹部８の吸水作用により、氷路における路面の水膜が効率的に吸収され、氷路面に対する陸部踏面の密着性が向上して、タイヤの氷上制動性能が向上する。また、一方の端部領域ＥＲ１’の接地圧が上昇し、雪路における雪柱剪断力が増加して、タイヤの雪上性能が向上する。また、陸部３１〜３３の他方の端部領域ＥＲ２’では、比較的小さな凹部８が配置されるので、陸部３１〜３３のエッジ部の剛性が確保され、また、陸部３１〜３３のエッジ部の接地面積が確保される。そして、上記のように、陸部３１〜３３のタイヤ幅方向の左右の端部領域ＥＲ１’、ＥＲ２’が相互に異なる接地特性を有することにより、タイヤの雪上性能あるいは氷上性能が向上する利点がある。
【０２５２】
また、この空気入りタイヤ１では、一方の端部領域ＥＲ１’における凹部８の開口面積の平均値Ａｅ１’と、他方の端部領域ＥＲ２’における凹部８の開口面積の平均値Ａｅ２’とが、１．５≦Ａｅ１’／Ａｅ２’≦４．０の関係を有する。これにより、各領域における凹部８の開口面積の比Ａｅ１’／Ａｅ２’が適正化される利点がある。すなわち、１．５≦Ａｅ１’／Ａｅ２’であることにより、各領域における凹部８の開口面積の比Ａｅ１’／Ａｅ２’が確保されて、凹部８の開口面積の偏りによる作用が適正に得られる。また、Ａｅ１’／Ａｅ２’≦４．０であることにより、開口面積の比Ａｅ１’／Ａｅ２’が過大となる事態が回避されて、ブロック５の偏摩耗が抑制される。
【０２５３】
また、この空気入りタイヤ１では、陸部３１〜３３が、相互に異なる開口面積をもつ複数種類の凹部８を備え、且つ、一方の端部領域ＥＲ１’に配置された７０［％］以上の凹部８が、陸部３１〜３３に配置された凹部８の開口面積の平均値よりも大きな開口面積を有する（図２４〜図２６参照）。これにより、一方の端部領域ＥＲ１’における大きな凹部８の配置数が適正化されて、大きな凹部８の機能が確保される利点がある。
【０２５４】
また、この空気入りタイヤ１では、陸部３１〜３３が、相互に異なる開口面積をもつ複数種類の凹部８を備え、且つ、陸部３１〜３３に配置された凹部８の開口面積の平均値よりも大きな開口面積をもつ凹部８が、一方の端部領域ＥＲ１’にてタイヤ幅方向の最も外側に配置され、且つ、前記平均値よりも小さい開口面積をもつ凹部８が、他方の端部領域ＥＲ２’にてタイヤ幅方向の最も外側に配置される（図２４〜図２６参照）。これにより、異なる開口面積をもつ凹部８を偏在させたことによる作用が向上する利点がある。
【０２５５】
また、この空気入りタイヤ１では、陸部３１〜３３が、タイヤ周方向に並列に配置されて陸部３１〜３３を複数の区間に区画する複数のサイプ６と、相互に異なる開口面積をもつ複数種類の凹部８とを備える（図２４〜図２６参照）。また、陸部３１〜３３に配置された凹部８の開口面積の平均値よりも大きな開口面積をもつ凹部８が、一方の端部領域ＥＲ１’にてタイヤ周方向に隣り合う任意の３つの前記区間の少なくとも１つに配置される。これにより、大きな凹部８がタイヤ周方向に分散して配置されて、凹部８の機能が適正に確保される利点がある。
【０２５６】
また、この空気入りタイヤ１では、陸部３１〜３３が、相互に異なる開口面積をもつ複数種類の凹部８を備える（図２４〜図２６参照）。また、陸部３１〜３３に配置された凹部８の開口面積の平均値よりも大きな開口面積をもつ凹部８が、一方の端部領域ＥＲ１’にて陸部３１〜３３の角部に配置され、且つ、前記平均値よりも小さな開口面積をもつ凹部８が、他方の端部領域ＥＲ２’にて陸部３１〜３３の角部に配置される。これにより、異なる開口面積をもつ凹部８を偏在させたことによる作用が向上する利点がある。
【実施例１】
【０２５７】
図２９〜図３２は、この発明の実施の形態にかかる空気入りタイヤの性能試験の結果を示す図表である。
【０２５８】
この性能試験では、複数種類の試験タイヤについて、（１）氷上制動性能、（２）氷上旋回性能、（３）雪上制動性能および（４）雪上加速性能に関する評価が行われた。また、タイヤサイズ１９５／６５Ｒ１５の試験タイヤがリムサイズ１５×６Ｊのリムに組み付けられ、この試験タイヤに２３０［ｋＰａ］の空気圧およびＪＡＴＭＡ規定の最大負荷が付与される。また、試験タイヤが、試験車両である排気量１６００［ｃｃ］かつＦＦ（Front engine Front drive）方式のセダンに装着される。
【０２５９】
（１）氷上制動性能に関する評価では、試験車両が所定の氷路面を走行し、走行速度４０［ｋｍ／ｈ］からの制動距離が測定される。そして、この測定結果に基づいて従来例を基準（１００）とした指数評価が行われる。この評価は、数値が大きいほど好ましい。
【０２６０】
（２）氷上旋回性能に関する評価では、試験車両が所定の氷路面を半径６［ｍ］の円に沿って旋回走行して、その走行タイムが計測される。そして、この測定結果に基づいて従来例を基準（１００）とした指数評価が行われる。この評価は、数値が大きいほど好ましい。
【０２６１】
（３）雪上制動性能に関する評価では、試験車両が雪路試験場のスノー路面を走行し、駆動性能および走行速度４０［ｋｍ／ｈ］からの制動距離が測定される。そして、この測定結果に基づいて従来例を基準（１００）とした指数評価が行われる。この評価は、数値が大きいほど好ましい。
【０２６２】
（４）雪上加速性能に関する評価では、試験車両が雪路試験場のスノー路面を走行し、完全停止状態から走行速度２０［ｋｍ／ｈ］に至るまでの加速タイムが測定される。そして、この測定結果に基づいて従来例を基準（１００）とした指数評価が行われる。この評価は、数値が大きいほど好ましい。
【０２６３】
図２９および図３０において、実施例１〜１２の試験タイヤは、図２のトレッドパターンを備え、陸部３１〜３３のブロック５がサイプ６、表面加工部７および凹部８をそれぞれ有する（図４〜図７参照）。また、表面加工部７がブロック５のフラットな領域に施されて、フラットな領域の算術平均粗さＲａが一定に設定される。また、トレッド面にあるすべての凹部８が、同一形状および一定の開口面積を有し、また、同一深さＨｄ＝０．３［ｍｍ］を有する。また、すべてのブロック５にて、タイヤ周方向の一方の端部領域ＥＲ１における凹部８の配置数Ｎｅ１と他方の端部領域ＥＲ２における凹部８の配置数Ｎｅ２とが、Ｎｅ２＜Ｎｅ１の関係を有する。また、凹部８の配置密度Ｄａおよび配置数比Ｎｅ１／Ｎｅ２は、トレッド面にあるすべてのブロック５の平均値である。また、凹部８の開口面積率の比Ｓｅ１／Ｓｅ２が、各領域ＥＲ１、ＥＲ２における凹部８の配置数の比Ｎｅ１／Ｎｅ２に略等しい。
【０２６４】
また、図２９の実施例１〜６では、試験タイヤが、タイヤ周方向の第一側（図２参照）をタイヤ回転方向に向けて試験車両に装着される。このため、凹部８を密に設けた一方の端部領域ＥＲ１（図３、図６および図７参照）が、タイヤ転動時にて踏み込み側となる。そして、この装着状態にて、（１）氷上制動性能および（２）氷上旋回性能に関する評価が行われる。一方、図３０の実施例７〜１２では、試験タイヤが、タイヤ周方向の第一側をタイヤ回転方向の逆方向に向けて試験車両に装着される。このため、凹部８を密に設けた一方の端部領域ＥＲ１が、タイヤ転動時にて蹴り出し側となる。そして、この装着状態にて、（３）雪上制動性能および（４）雪上加速性能に関する評価が行われる。
【０２６５】
図３１および図３２において、実施例１３〜２６の試験タイヤは、図１１のトレッドパターンを備え、陸部３１〜３３のブロック５がサイプ６、表面加工部７および凹部８をそれぞれ有する。また、表面加工部７がブロック５のフラットな領域に施されて、フラットな領域の算術平均粗さＲａが一定に設定される。また、トレッド面にあるすべてのブロック５が、異なる開口面積をもつ２種類かつ複数の凹部８を備える。また、すべての凹部８が、同一形状を有し、また、同一深さＨｄ＝０．３［ｍｍ］を有する。また、大きい開口面積Ａｅを有する凹部８がブロック５のタイヤ周方向の一方の端部領域ＥＲ１および中央部の領域（図１２〜図１４参照）に配置され、小さい開口面積Ａｃを有する凹部８が他方の端部領域ＥＲ２に配置される。また、１つのブロック５では、一方の端部領域ＥＲ１における凹部８の配置数Ｎｅ１と他方の端部領域ＥＲ２における凹部８の配置数Ｎｅ２とが略同一である。このため、凹部８の開口面積率比Ｓｅ１／Ｓｅ２が、大小の凹部８の開口面積の比Ａｅ１／Ａｅ２に略等しい。また、凹部８の配置密度Ｄａは、トレッド面にあるすべてのブロック５の平均値である。
【０２６６】
また、図３１の実施例１３〜１９では、試験タイヤが、タイヤ周方向の第一側（図１１参照）をタイヤ回転方向に向けて試験車両に装着される。このため、大きな凹部８を有する一方の端部領域ＥＲ１（図１２〜図１４参照）が、タイヤ転動時にて踏み込み側となる。そして、この装着状態にて、（１）氷上制動性能および（２）氷上旋回性能に関する評価が行われる。一方、図３２の実施例２０〜２６２では、試験タイヤが、タイヤ周方向の第一側をタイヤ回転方向の逆方向に向けて試験車両に装着される。このため、大きな凹部８を有する一方の端部領域ＥＲ１が、タイヤ転動時にて蹴り出し側となる。そして、この装着状態にて、（３）雪上制動性能および（４）雪上加速性能に関する評価が行われる。
【０２６７】
従来例１、２の試験タイヤでは、実施例１、１０の構成において、ブロック５がサイプ６および表面加工部７のみを有し、凹部８を有していない。比較例１、２の試験タイヤは、実施例１、１０の構成において、ブロック５のタイヤ周方向の前後の端部領域ＥＲ１、ＥＲ２（図３参照）における凹部８の配置数Ｎｅ１、Ｎｅ２が、Ｎｅ１／Ｎｅ２＝１．００である。
【０２６８】
試験結果に示すように、実施例１〜２６の試験タイヤでは、タイヤの氷上性能あるいは雪上性能が向上することが分かる。
【実施例２】
【０２６９】
図３３〜図３６は、この発明の実施の形態にかかる空気入りタイヤの性能試験の結果を示す図表である。
【０２７０】
この性能試験では、複数種類の試験タイヤについて、（１）氷上旋回性能、（２）氷上制動性能、（３）雪上旋回性能および（４）雪上加速性能に関する評価が行われた。また、タイヤサイズ１９５／６５Ｒ１５の試験タイヤがリムサイズ１５×６Ｊのリムに組み付けられ、この試験タイヤに２３０［ｋＰａ］の空気圧およびＪＡＴＭＡ規定の最大負荷が付与される。また、試験タイヤが、試験車両である排気量１６００［ｃｃ］かつＦＦ（Front engine Front drive）方式のセダンに装着される。
【０２７１】
（１）氷上旋回性能、（２）氷上制動性能および（４）雪上加速性能に関する評価の試験方法は、上記実施例１と同じであるので、その説明を省略する。
【０２７２】
（３）雪上旋回性能に関する評価では、試験車両が所定のスノー路面を半径６［ｍ］の円に沿って旋回走行して、その走行タイムが計測される。そして、この測定結果に基づいて従来例を基準（１００）とした指数評価が行われる。この評価は、数値が大きいほど好ましい。
【０２７３】
図３３および図３４において、実施例２７〜３８の試験タイヤは、図１６のトレッドパターンを備え、陸部３１〜３３のブロック５がサイプ６、表面加工部７および凹部８をそれぞれ有する。また、表面加工部７がブロック５のフラットな領域に施されて、フラットな領域の算術平均粗さＲａが一定に設定される。また、トレッド面にあるすべての凹部８が、同一形状および一定の開口面積を有し、また、同一深さＨｄ＝０．３［ｍｍ］を有する。また、すべてのブロック５にて、タイヤ幅方向の一方の端部領域ＥＲ１’における凹部８の配置数Ｎｅ１’と他方の端部領域ＥＲ２’における凹部８の配置数Ｎｅ２’とが、Ｎｅ２’＜Ｎｅ１’の関係を有する。また、凹部８の配置密度Ｄａおよび配置数比Ｎｅ１’／Ｎｅ２’は、トレッド面にあるすべてのブロック５の平均値である。また、凹部８の開口面積率比Ｓｅ１’／Ｓｅ２’が、各領域における凹部８の配置数の比Ｎｅ１’／Ｎｅ２’に略等しい。
【０２７４】
また、図３３の実施例２７〜３２では、試験タイヤが、タイヤ幅方向の第一側（図１６参照）を車幅方向外側に向けて試験車両に装着される。このため、凹部８を密に設けた一方の端部領域ＥＲ１’（図１７、図１８および図１９参照）が、車幅方向外側となる。そして、この装着状態にて、（１）氷上旋回性能および（２）氷上制動性能に関する評価が行われる。一方、図３４の実施例３３〜３８では、試験タイヤが、タイヤ幅方向の第一側を車幅方向内側に向けて試験車両に装着される。このため、凹部８を密に設けた一方の端部領域ＥＲ１’が、タイヤ転動時にて車幅方向内側となる。そして、この装着状態にて、（３）雪上旋回性能および（４）雪上加速性能に関する評価が行われる。
【０２７５】
図３５および図３６において、実施例３９〜５２の試験タイヤは、図２３のトレッドパターンを備え、陸部３１〜３３のブロック５がサイプ６、表面加工部７および凹部８をそれぞれ有する。また、表面加工部７がブロック５のフラットな領域に施されて、フラットな領域の算術平均粗さＲａが一定に設定される。また、トレッド面にあるすべてのブロック５が、異なる開口面積をもつ２種類かつ複数の凹部８を備える。また、すべての凹部８が、同一形状を有し、また、同一深さＨｄ＝０．３［ｍｍ］を有する。また、大きい開口面積Ａｅ１’を有する凹部８がブロック５のタイヤ幅方向の一方の端部領域ＥＲ１’および中央部の領域（図２２〜図２４参照）に配置され、小さい開口面積Ａｅ２’を有する凹部８が他方の端部領域ＥＲ２’に配置される。また、１つのブロック５では、一方の端部領域ＥＲ１’における凹部８の配置数Ｎｅ１’と他方の端部領域ＥＲ２’における凹部８の配置数Ｎｅ２’とが略同一である。このため、凹部の開口面積率比Ｓｅ１’／Ｓｅ２’が、大小の凹部８の開口面積の比Ａｅ１’／Ａｅ２’に略等しい。また、凹部８の配置密度Ｄａは、トレッド面にあるすべてのブロック５の平均値である。
【０２７６】
また、図３５の実施例３９〜４５では、試験タイヤが、タイヤ周方向の第一側（図２３参照）を車幅方向外側に向けて試験車両に装着される。このため、大きな凹部８を有する一方の端部領域ＥＲ１’（図２４〜図２６参照）が、車幅方向外側となる。そして、この装着状態にて、（１）氷上制動性能および（２）氷上旋回性能に関する評価が行われる。一方、図３６の実施例４６〜５２では、試験タイヤが、タイヤ幅方向の第一側を車幅方向内側に向けて試験車両に装着される。このため、大きな凹部８を有する一方の端部領域ＥＲ１’が、車幅方向内側となる。そして、この装着状態にて、（３）雪上制動性能および（４）雪上加速性能に関する評価が行われる。
【０２７７】
従来例１、２の試験タイヤでは、実施例１、１０の構成において、ブロック５がサイプ６および表面加工部７のみを有し、凹部８を有していない。比較例１、２の試験タイヤは、実施例１、１０の構成において、ブロック５のタイヤ幅方向の左右の端部領域ＥＲ１’、ＥＲ２’（図１７参照）における凹部８の配置数Ｎｅ１’、Ｎｅ２’が、Ｎｅ１’／Ｎｅ２’＝１．００である。
【０２７８】
試験結果に示すように、実施例２７〜４２の試験タイヤでは、タイヤの氷上性能あるいは雪上性能が向上することが分かる。
【符号の説明】
【０２７９】
１：空気入りタイヤ、２１、２２：周方向主溝、２３：周方向細溝、３１〜３３：陸部、３１１：切欠部、４１〜４３：ラグ溝、５：ブロック、６：サイプ、７：表面加工部、８：凹部、１１：ビードコア、１２：ビードフィラー、１３：カーカス層、１４：ベルト層、１４１、１４２：交差ベルト、１４３：ベルトカバー、１５：トレッドゴム、１６：サイドウォールゴム、１７：リムクッションゴム
【図１】
2017197148.tif 000003
【図２】
2017197148.tif 000004
【図３】
2017197148.tif 000005
【図４】
2017197148.tif 000006
【図５】
2017197148.tif 000007
【図６】
2017197148.tif 000008
【図７】
2017197148.tif 000009
【図８】
2017197148.tif 000010
【図９】
2017197148.tif 000011
【図１０】
2017197148.tif 000012
【図１１】
2017197148.tif 000013
【図１２】
2017197148.tif 000014
【図１３】
2017197148.tif 000015
【図１４】
2017197148.tif 000016
【図１５】
2017197148.tif 000017
【図１６】
2017197148.tif 000018
【図１７】
2017197148.tif 000019
【図１８】
2017197148.tif 000020
【図１９】
2017197148.tif 000021
【図２０】
2017197148.tif 000022
【図２１】
2017197148.tif 000023
【図２２】
2017197148.tif 000024
【図２３】
2017197148.tif 000025
【図２４】
2017197148.tif 000026
【図２５】
2017197148.tif 000027
【図２６】
2017197148.tif 000028
【図２７】
2017197148.tif 000029
【図２８】
2017197148.tif 000030
【図２９】
2017197148.tif 000031
【図３０】
2017197148.tif 000032
【図３１】
2017197148.tif 000033
【図３２】
2017197148.tif 000034
【図３３】
2017197148.tif 000035
【図３４】
2017197148.tif 000036
【図３５】
2017197148.tif 000037
【図３６】
2017197148.tif 000038